(57)【要約】「ステッカ」位置特定デバイスは、プロセッサおよびメモリを伴うＰＣＢと、他の位置特定デバイスおよびサーバと通信するための通信機と、位置特定デバイスの環境を決定するための１つ以上のセンサと、電力モジュールとを含む。いくつかの実施形態は、ＧＰＳ受信機を含み、他の位置特定デバイスのためのデジタル無線ネットワークハブまたはブリッジとしての役割を果たしてもよい。アセットの場所を追跡するための方法は、アセットに取り付けられるこれらの位置特定デバイスを使用して、感知された環境と以前に感知された環境を比較することによって、アセットの環境を感知し、変化が構成可能閾値を超えると、環境の変化を位置特定デバイスからサーバに通信する。
2020520581.tif 000002
【特許請求の範囲】
【請求項１】
第１の位置特定デバイスであって、
回路基板であって、前記回路基板は、
プロセッサと、
前記プロセッサと通信可能に結合されるメモリと、
前記メモリ内に構成される一意の識別子と、
ネットワークを通してサーバに通信し、少なくとも第２の位置特定デバイスと直接通信するように構成される通信機と、
前記第１の位置特定デバイスの環境を感知するように構成される少なくとも１つのセンサと、
前記第１の位置特定デバイスの場所情報を決定するように構成される前記メモリ内のファームウェアと、
前記少なくとも１つのセンサによって観察されるようなステータスの変化を決定し、ステータスの変化の検出に応じて、前記一意の識別子および前記場所情報を含むメッセージを前記サーバに伝送するように構成される前記メモリ内のファームウェアと
ともに構成される、回路基板
を備える、第１の位置特定デバイス。
【請求項２】
前記少なくとも１つのセンサは、前記第１の位置特定デバイスの移動を感知するように構成される少なくとも１つのセンサを備える、請求項１に記載の第１の位置特定デバイス。
【請求項３】
前記通信機は、複数の異なるプロトコルを使用して通信するように構成可能な少なくとも１つのソフトウェア構成可能無線を備え、前記メモリは、前記ソフトウェア構成可能無線を構成し、前記複数の異なるプロトコルのうちの少なくとも２つを使用して通信するように適合されるファームウェアを含有する、請求項２に記載の第１の位置特定デバイス。
【請求項４】
前記通信機は、前記複数の異なるプロトコルのうちの少なくとも２つのうちの第１のものを使用して、第２の位置特定デバイスと通信し、前記複数の異なるプロトコルのうちの少なくとも２つのうちの第２のものを使用して、前記サーバと通信するように構成される、請求項３に記載の第１の位置特定デバイス。
【請求項５】
前記第１の位置特定デバイスは、前記第２の位置特定デバイスから受信されたメッセージを前記サーバに中継するように構成される、請求項４に記載の第１の位置特定デバイス。
【請求項６】
前記第１の位置特定デバイスは、デジタル無線ネットワークを介して、感知された移動および運動情報の一方または両方を前記サーバに送信するように構成され、前記通信機は、前記デジタル無線ネットワークと直接通信するために構成可能なデジタル無線を備える、請求項２に記載の第１の位置特定デバイス。
【請求項７】
前記ソフトウェア構成可能無線を使用して、無線信号をローカル環境から受信し、ＩＥＥＥ８０２．１１ネットワークＳＳＩＤ、ＭＡＣアドレス、ＩＰアドレス、および近傍のセルラー電話基地局と関連付けられたセルＩＤ（ＣＩＤ）から成る群から選択される少なくとも１つの識別子を記録するように構成されるファームウェアであって、ファームウェアは、前記少なくとも１つの識別子を前記サーバに伝送するように構成される、ファームウェア
をさらに備える、請求項３に記載の第１の位置特定デバイス。
【請求項８】
前記少なくとも１つの識別子を前記サーバに伝送するように構成されるファームウェアは、前記第１の位置特定デバイスの移動の検出に応じて、前記少なくとも１つの識別子を前記サーバに伝送するように構成される、請求項７に記載の第１の位置特定デバイス。
【請求項９】
前記ファームウェアは、前記プロセッサによって実行されると、少なくとも前記第２の位置特定デバイスと協働し、位置特定デバイスのローカルデジタル無線ネットワークを作成することが可能である機械可読命令をさらに備える、請求項２に記載の第１の位置特定デバイス。
【請求項１０】
前記第２の位置特定デバイスが前記位置特定デバイスのローカルデジタル無線ネットワークから喪失されるときを決定することが可能な機械可読命令をさらに備え、前記ファームウェアは、前記第２の位置特定デバイスが前記位置特定デバイスのローカルデジタル無線ネットワークから喪失されたことに応じて、メッセージを前記サーバに伝送するように構成される、請求項９に記載の第１の位置特定デバイス。
【請求項１１】
ステータスの所定の変化の決定に応じて、事前に構成されたコマンドをモノのインターネット（ＩＯＴ）デバイスに送信するように適合されるファームウェアをさらに備える、請求項１に記載の第１のステッカ位置特定デバイス。
【請求項１２】
前記デバイスに給電するために結合されるエネルギー回収デバイスをさらに備える、請求項１に記載の第１の位置特定デバイス。
【請求項１３】
前記少なくとも１つのセンサは、少なくとも１つの歪みセンサを備える、請求項２に記載の第１の位置特定デバイス。
【請求項１４】
前記ファームウェアは、前記プロセッサによって実行されると、少なくとも前記第２の位置特定デバイスと前記サーバとの間の通信を中継するためのハブとして、前記位置特定デバイスを動作させることが可能である機械可読命令を備える、請求項４、５、６、７、８、９、１０、１１、１２、または１３に記載の位置特定デバイス。
【請求項１５】
アセットの場所を追跡するための方法であって、
前記アセットとともに構成される第１のステッカ位置特定デバイスを使用して、前記アセットの環境を感知するステップと、
前記ステッカ位置特定デバイス内において、前記感知された環境と以前に感知された環境を比較することによって、前記環境の変化を検出するステップと、
前記変化が構成可能閾値を超えると、場所情報および前記環境の変化を前記ステッカ位置特定デバイスからサーバに通信するステップと
を含む、方法。
【請求項１６】
前記環境を感知するステップはさらに、マイクロホンを用いてオーディオを感知するステップを含み、前記環境の変化を検出するステップはさらに、前記オーディオを分類するステップを含む、請求項１５に記載の方法。
【請求項１７】
前記環境の変化が構成可能閾値を超えると、第２のステッカ位置特定デバイスによって感知された環境の変化を前記サーバに通信するステップをさらに含む、請求項１６に記載の方法。
【請求項１８】
環境を感知するステップは、ソフトウェア構成可能無線を使用して、デジタル無線ネットワークと関連付けられた識別子を探知するステップを含む、請求項１５、１６、または１７に記載の方法。
【請求項１９】
第１のステッカ位置特定デバイスであって、
筐体と、
前記筐体内の回路基板であって、前記回路基板は、
プロセッサと、
前記プロセッサと通信可能に結合されるメモリと、
ネットワークを通してサーバに通信し、少なくとも第２のステッカ位置特定デバイスと直接通信するように構成される通信機と、
ソフトウェア構成可能無線を使用して、前記ソフトウェア構成可能無線によって受信されたデジタル無線ネットワークのネットワーク識別子を記録するように構成されるファームウェアと、
前記第１のステッカデバイスの環境を観察するように構成されるセンサと、
前記観察される環境の変化を決定し、ステータスの変化の検出に応じて、メッセージを前記サーバに伝送するように構成されるファームウェアであって、前記メッセージは、前記記録されるネットワーク識別子を含む、ファームウェアと
とともに構成される、回路基板と
を備える、第１のステッカ位置特定デバイス。
【請求項２０】
ステッカ位置特定デバイスであって、
筐体と、
前記筐体内にある回路基板であって、前記回路基板は、
プロセッサと、
前記プロセッサと通信可能に結合されるメモリと、
ネットワークを通してサーバに通信するように構成される通信機と、
前記ステッカデバイスの移動を感知するように構成される少なくとも１つのセンサと、
少なくとも１つの歪みセンサと、
ファームウェアであって、前記ファームウェアは、移動を感知するように構成される前記少なくとも１つのセンサおよび前記少なくとも１つの歪みセンサからの読取値を処理し、振動および歪みを決定し、感知された振動または歪みのいずれかが限界を超えるかどうかを決定し、振動または歪みのいずれかが前記限界を超えると、メッセージを前記サーバに送信するように構成される、ファームウェアと
とともに構成される、回路基板と
を備える、ステッカ位置特定デバイス。
【発明の詳細な説明】
【技術分野】
【０００１】
（優先権主張）
本願は、２０１７年５月１日に出願された米国仮特許出願第６２／４９２，５６５号に対する優先権を主張するものである。
【背景技術】
【０００２】
Ｔｉｌｅ、ＴｒａｃｋＲ、Ｃｈｉｐｏｌｏ、およびＷｕｖｏ等の追跡デバイスは、追跡されるべき物体に取り付けられ、無線でインターフェースをとり、ｉＰｈｏｎｅ（登録商標）またはＡｎｄｒｏｉｄ電話等のスマートフォンと接続する、小型のバッテリ給電式電子デバイスである。しかしながら、これらの既存の追跡デバイスは、位置に敏感ではなく、短距離伝送能力のみを有する。追跡デバイスの具体的ブランドは、スマートフォン上で起動する対応するアプリによってのみ検出される。
【発明の概要】
【課題を解決するための手段】
【０００３】
知的追跡ユニットは、場所決定および通信能力を含み、本明細書では、「ステッカ」と呼ばれる。ステッカは、価値のある、重要である、または着目される、アセット等、追跡されるべき物体に取り付けられる、またはその中に内蔵される。ステッカ追跡デバイスは、１つ以上の無線デジタル無線および／または有線ネットワークを通して、その近似または正確な場所を決定および通信する。ステッカは、これらの１つ以上の無線および／または有線ネットワークから集められた情報を使用し、その場所を決定することに役立ち得る。ステッカが、携帯電話によって感知される場合、携帯電話の場所もまた、ステッカの場所履歴に追加されることができる。ステッカ追跡デバイスは、喪失されるときを決定し、通信を開始し、その現在の場所をより広いネットワークに把握させ得る。ステッカは、自己給電または有線接続によって給電されてもよい。ステッカは、製造の間、アセット上に配設される、またはその中に内蔵される、または製造後、アセット上に配設される、またはその中に内蔵されてもよい。ステッカは、その移動および環境についての情報を決定し、ステッカの位置特定、したがって、対応するアセットの位置特定を補助するために使用する、センサを含有する。ある実施形態では、ステッカはまた、移動、環境、および／または決定された場所の履歴を維持し、アセットが移動された理由を決定することを補助する。本履歴は、ステッカデバイス上のデータベース内にローカルで記憶され得るか、または接続が可能であるとき、ネットワークに通過され得るかのいずれかである。
【０００４】
ステッカ位置特定デバイスは、プロセッサおよびメモリと、他のステッカ位置特定デバイスおよびサーバと通信するための通信機と、ステッカデバイスの場所を決定するための少なくとも１つのセンサを有する、認知モジュールと、電力モジュールとを有する、回路基板を筐体内に含む。いくつかの実施形態は、ＧＰＳ受信機を含み、他のデバイスおよびステッカ位置特定デバイスのためのネットワークハブまたはブリッジとしての役割を果たし得る。アセットの場所を追跡するための方法は、アセットに取り付けられる、ステッカ位置特定デバイスを使用して、感知された環境と以前に感知された環境を比較することによって、アセットの環境（温度、圧力、光、音等）を感知し、変化が構成可能閾値を超えると、環境の変化をステッカ位置特定デバイスからサーバまたは他の報告受信デバイスに報告する。いくつかの実施形態は、ＧＰＳを用いて場所を決定するステップおよび／または信号を他のステッカ位置特定デバイスから中継するステップと、十分なエネルギーが高電力モードのために利用可能ではない限り、低電力デジタル無線モードを使用する、スマート電力管理とを含む。
【図面の簡単な説明】
【０００５】
【図１】図１は、ある実施形態における、サーバと通信する１つの例示的ステッカ位置特定デバイスを図示する、高レベルブロック図である。
【０００６】
【図２】図２は、ある実施形態における、アセットに取り付けられ得る電子機器を含有する薄くて可撓性の筐体として実装される、図１のステッカ位置特定デバイスを示す。
【０００７】
【図３】図３は、図１のステッカ位置特定デバイスをさらに例示的詳細において示す。
【０００８】
【図４】図４は、図１および３のステッカ位置特定デバイスの通信能力をさらに例示的詳細において示す。
【０００９】
【図５】図５は、図１のサーバをさらに例示的詳細において示す。
【００１０】
【図６】図６は、図１のステッカ位置特定デバイスが既存の追跡デバイスの範囲を増加させる、１つの例示的シナリオを示す。
【００１１】
【図７】図７は、ある実施形態における、群集認知を維持する、図１の４つのステッカ位置特定デバイスの１つの例示的群集を示す。
【００１２】
【図８】図８は、ある実施形態における、図１のステッカ位置特定デバイスが状態認知モードで動作する、１つの例示的シナリオを示す。
【００１３】
【図９】図９は、ステッカ位置特定デバイスの実施形態によって行われるアクションを図示する、フローチャートである。
【発明を実施するための形態】
【００１４】
ある従来の追跡デバイスに関する問題
ある従来の追跡デバイスを小型に保つために、場所は、追跡デバイスからの周期的伝送がスマートフォンによって受信される度に、スマートフォン内で決定されていた。予期される通信が、受信されないとき、最後の決定された場所が、追跡デバイスの「可能性が高い」場所を示し、追跡デバイスは移動していないと仮定する。これらの従来の追跡デバイスからの伝送は、電力を節約するため、かつスマートフォン内で決定された場所が追跡デバイスの実際の場所の近傍にあるように、短距離（例えば、Ｂｌｕｅｔｏｏｔｈ（登録商標））であった。
【００１５】
これらの従来の追跡デバイスは、対応するアプリを起動する任意のスマートフォンによって検出および位置特定され得るが、最後の以前に決定された場所に見出されないとき等、喪失された追跡デバイスを位置特定することは、少なくとも１つのそのようなスマートフォンが追跡デバイスの十分に近傍にあって、周期的伝送をそれから受信することを要求する。スマートフォンが、短距離伝送を追跡デバイスから受信するために十分に近接していない場合、これらの従来の追跡デバイスは、「喪失された」ままである。これらの特定の従来の追跡デバイスは、その場所自体を決定せず、それらが移動または喪失されたときを決定するために十分にスマートではなく、それらが近接しているかどうかを検出するために、対応する探索デバイスを用いた検索を要求する。
【００１６】
これらの従来の追跡デバイスは、周期的にのみ伝送するため、その場所は、伝送時にのみ、検出デバイスによって推定されることができる。追跡デバイスが、移動されると、追跡されない、または追跡デバイスからの次の予期される伝送が欠測されるまで、喪失されたままであると決定される。さらに、これらの従来の追跡デバイスは、所定のスケジュールに基づいてのみ伝送し、追跡デバイスの擾乱または移動に応じて、付加的伝送を提供することができない。
【００１７】
我々の新しいステッカ追跡デバイス
新しい自己認知式ステッカ位置特定デバイス（以降、「ステッカ」）は、追跡ソリューションを自ら提供し、また、既存の追跡デバイスの範囲および有用性を拡張する。ステッカは、多くの異なる種類の既存の追跡デバイスとのパートナとして作用し、任意の利用可能な互換性があるネットワークを介して、既存の追跡デバイスの情報を既存の追跡デバイスのパートナに中継するように構成される。
【００１８】
そのような機能性をステッカの中に含むことによって、アセット追跡ネットワーク全体が、既存の追跡デバイスおよび新しいステッカが、今度は、デジタル無線ネットワークを含む、任意の利用可能な互換性があるネットワークを介して、場所情報を対応するパートナデバイスに通信することができるため、より有用となる。すなわち、新しい設計ステッカは、（ａ）既存の追跡デバイス（それによって、既存の追跡デバイスが他のネットワークを使用することを可能にする）と、（ｂ）他の新しいステッカの両方のための中継デバイスとして動作し得る。ステッカは、既存の追跡デバイスを検出および位置特定するための付加的方法を提供することによって、向上された場所機能性を提供し、既存の追跡デバイスの有用性を改良する。
【００１９】
図１は、サーバ１７０またはモバイルデバイス８０２（図８）等の報告受信デバイスと通信する、１つの例示的ステッカ位置特定デバイス１０２を図示する、高レベルブロック図である。代替実施形態では、報告受信デバイスは、報告をサーバ１７０に中継するように構成される、別のステッカ１１２または他のローカルハブであってもよい。ステッカ１０２は、通信機１２０と、電力モジュール１３０と、構成モジュール１３５と、認知モジュール１４０と、ステータストラッカ１５０とを含む。ある実施形態では、ステッカ１０２は、例えば、「クラウド」内に位置する、サーバ１７０、または単一または分散型コンピュータネットワーク上にあって、インターネットを介してアクセス可能な類似データベースと通信する。サーバ１７０は、ステッカ１０２に関連する受信された情報に基づいて、ステッカ１０２の移動を追跡および記録する、追跡アプリケーション１７２を含む。例えば、サーバ１７０は、ステッカ１０２の受信された場所情報を記憶し、また、他のステッカ１０２および／またはステッカ１０２が遭遇した他の追跡および通信デバイス等の他のデバイスに関する情報を記憶する。例えば、ステッカ１０２は、ステッカを位置特定するために識別および使用され得る、別のネットワークと通信した、またはそれを検出したことを示し得る。追跡アプリケーション１７２は、それによって、ステッカ１０２の過去の決定された場所の履歴を集める。
【００２０】
図２は、アセット２１０に取り付けられ得る（例えば、貼付または添着される）電子機器を含有する薄くて可撓性の筐体２０６として実装される、図１のステッカ１０２を示す。図２の実施例では、ステッカ１０２は、フレキシブル印刷回路基板アセンブリ（ＰＣＢＡ）２０２上に構成される、コンポーネント２０４を有する。他の実施形態では、剛性筐体および剛性ＰＣＢＡが、組み込まれ得る。ステッカ１０２を小型に保つために、コンポーネント包装、例えば、チップスケールパッケージング（ＣＳＰ）が、使用されてもよい。最適寿命のために、筐体２０６は、耐候性、防水性、およびＵＶ抵抗性であって、コンポーネント２０４およびフレキシブルＰＣＢＡ２０２を保護する。ある実施形態では、ステッカ１０２は、それをアセット２１０に取り付けるように構成される、感圧式接着剤２１２の層を有する。ある実施形態では、ステッカ１０２は、ユニバーサルシリアルバス（ＵＳＢ）構成ポート、ライト、画面、タッチインターフェース、および／またはボタン等の入力／出力デバイスを含む。しかしながら、これらの入力／出力デバイスは、基本動作のために要求されない。ある実施形態では、ステッカ１０２は、アセット２１０に取り付けられるステッカに類似し得、ブランド名を含み得ることが想定される。ある他の実施形態では、ステッカ１０２は、目立たないようにアセット２１０の中の内側に内蔵される、または外部に取り付けられ、日常的に見えないように隠蔽されるように塗装される。ステッカ１０２が、家畜およびペット等の動物と併用される場合、その耳、首輪、保護具、鞍に取り付けられてもよい、または皮下に挿入されてもよい。
【００２１】
代替実施形態では、ステッカ１０２は、接着剤２１２を欠いており、アセット２１０への取付のために、ストラップを有する。これらの実施形態は、小児および認知症を患う高齢者の脚部にストラップ留めされるために好適であって、両親および介護者が、彼らをより簡単に追跡することを可能にする。ねじ、ボルト、釘、クリップ、ピン、およびスナップを含む、多くの他のタイプの締結具もまた、ステッカ１０２をアセット２１０に取り付けるために使用され得る。
【００２２】
ある実施形態では、ステッカ１０２の機能性は、スマートフォン、モバイルデバイス、スマートＴＶ、および他のネットワーク対応デバイスを含む、群から選択される、１つ以上のスマートデバイス上で起動するアプリ内に実装される。ステッカ１０２がスマートデバイス上で起動するアプリとともに実装される、これらの実施形態では、ステッカ１０２の機能性は、そのスマートデバイスの通信および位置特定能力を利用し、それらの能力を使用して、場所信号をネットワークを経由して伝送してもよく、これらの能力を使用して、場所信号を他のステッカまたは既存の追跡デバイスから受信してもよい。ステッカ１０２の機能性は、スマートフォン上で起動するアプリ内に実装され、例えば、ステッカアプリは、Ｗｉ−Ｆｉおよびセルラーネットワークと接続し、その場所を信号伝達するためのスマートフォンの能力と、内蔵ＧＰＳを使用して、その場所を決定するためのその能力とを利用してもよい。また、そのＧＰＳ場所を使用して、電話が接続され得る既存の追跡デバイス等のＢｌｕｅｔｏｏｔｈ（登録商標）デバイスを位置特定してもよい。したがって、ステッカアプリは、継続的および／または周期的に、他のセンサ、ネットワーク、および周辺機器からのデータで精緻化され得る、その場所を決定し、本情報をサーバ１７０に送信してもよい。
【００２３】
図３は、図１のステッカ１０２をさらに例示的詳細において示す。ステッカ１０２は、電子デバイスであって、メモリ３０４と通信可能に結合される、少なくとも１つのプロセッサ３０２を含む。プロセッサ３０２は、例えば、メモリ３０４内に記憶される機械可読命令（ファームウェア）を実行し、本明細書に説明されるようなステッカ１０２の機能性を提供する、デジタルプロセッサである。メモリ３０４は、排他的ではないが、ＲＡＭ、ＳＲＡＭ、ＤＲＡＭ、ＲＯＭ、ＰＲＯＭ、フラッシュ、磁気、および光学を含む、群から選択される、１つ以上のメモリタイプを表してもよい。ある実施形態では、プロセッサ３０２およびメモリ３０４は、マイクロコントローラとして実装される。プロセッサ３０２は、プロセッサ３０２の電力消費が最小限にされる、「スリープ」モードを含む、種々の動作モードを有してもよい。各ステッカ１０２は、それを一意に識別する、ＰＲＯＭ、またはフラッシュメモリ等のメモリ３０４の不揮発性メモリコンポーネント内に記録される、一意の識別子３０５とともに構成される。同様に、構成モジュール１３５は、メモリ３０４の不揮発性メモリコンポーネント内に位置する、構成設定を含む。
【００２４】
特定の実施形態では、構成モジュール１３５の構成設定は、国毎に変動し得るため、ステッカ１０２が販売される特定の管轄区内で認可される、携帯電話周波数帯域と、ステッカがアクセスするように構成される、ＩＥＥＥ８０２．１１準拠（Ｗｉ−Ｆｉ）デジタル無線ネットワークのためのサービスセット識別子（ＳＳＩＤ）および暗号化キーまたはパスワードと、それを下回る場合、Ｗｉ−Ｆｉおよびセル−タワー通信等の高エネルギー通信モードが試行されるべきではない、バッテリレベルおよび外部接続電力設定等の電力構成およびエネルギーマネージャ設定と、他の類似設定とを含む。ある実施形態では、これらの設定は、ステッカの有線ポート（例えば、ＵＳＢ）を経由して構成可能であって、他の実施形態では、それらは、ステッカとの暗号化された無線リンクを使用して構成可能である。さらに他の実施形態では、ステッカ１０２の構成モジュール１３５のいくつかの設定は、ステッカ１０２のボタンおよびディスプレイを使用して構成可能である。
【００２５】
電源
ある実施形態では、電力モジュール１３０は、メモリ３０４内に記憶され、プロセッサ３０２によって実行可能なファームウェアを含み、直接接続を通して利用可能な電力およびバッテリ３１６内に貯蔵されるエネルギーに基づいて、ステッカ１０２による電力使用を管理する、バッテリ３１６およびエネルギーマネージャ３１８として実装される。連続電力がステッカ１０２に容易に利用可能である、ある実施形態では、バッテリ３１６およびエネルギーマネージャ３１８は、省略されてもよい。ある実施形態では、バッテリ３１６は、交換可能であって、ステッカ１０２は、ユーザがバッテリを置換することを可能にするためのアクセスを提供する。別の実施形態では、バッテリが含まれるステッカ１０２は、シールされ、１回限りの用途のために意図される。エネルギーマネージャ３１８は、バッテリ３１６の充電の状態を追跡し、それによって、バッテリ３１６内に貯蔵される利用可能なエネルギーを決定するように適合される、ファームウェアおよびハードウェアを含む。エネルギーマネージャ３１８によって決定されるようなバッテリ３１６内に貯蔵される利用可能なエネルギーは、セルラーネットワーク通信のような高エネルギー通信プロトコルが可能にされるかどうかを含む、ステッカ１０２の動作モードを定義し、サーバ１７０に低バッテリ状態を通知するように意図される低バッテリステータス警告伝送をトリガするために使用されてもよい。これらの伝送は、ステッカ１０２が属する群集の他のノードを通して、または他のステッカによって中継されてもよい、またはステッカ１０２がアクセスを取得したネットワークを通して直接送信されてもよい。低バッテリ状態の受信に応じて、誤アラームを低減させるために、サーバ１７０は、サーバ１７０がステッカ１０２において発生する信号の受信に失敗するときに行われるアクションを修正してもよい（例えば、信号喪失のアラームを解除する）。
【００２６】
バッテリ３１６は、電力中断の間、ステッカ１０２が動作を継続することを可能にする。ある実施形態では、ステッカ１０２は、電気を外部源から回収し、バッテリ３１６を充電する、エネルギー回収器３２０を含む。回収器３２０は、太陽電池またはパネル、熱発電機、圧電または電磁振動発電機、傾斜駆動発電機、無線エネルギー回収器（例えば、ＲＦＩＤ）、および当技術分野において公知の他のエネルギー収集デバイスのうちの１つ以上のものを表してもよい。ある実施形態では、回収器３２０は、磁気誘導結合として実装され、電力を磁気的に受信し、バッテリ３１６を充電する。油井ポンプジャック等の発振機械類に取り付けられるように適合される、ある他の実施形態では、回収器３２０は、ステッカ１０２の傾斜の変化が発電機コイルに対する振り子移動を生じさせるように配置される磁気振り子を含む、傾斜駆動発電機である。
【００２７】
ある実施形態では、ステッカ１０２は、それが追跡する物体によって給電される。例えば、ステッカ１０２が、電子デバイスの中に取り付けられる、または内蔵される場合、ステッカ１０２は、電力を電子デバイスから受信するように構成されてもよい。例えば、ステッカ１０２は、電子デバイスの中に内蔵され、デバイスの電力バスに直接取り付けられる、またはＵＳＢ、Ｌｉｇｈｔｎｉｎｇ、カスタム電力ケーブル、およびポータブル電子デバイスの当技術分野において公知の他の電力接続を含む、群から選択される、電力コネクタを介して、電子デバイスに結合してもよい。
【００２８】
ある実施形態では、ステッカ１０２は、ユーザがステッカ１０２と直接相互作用することを可能にする、ユーザインターフェース３１２を含む。例えば、ユーザインターフェース３１２は、タッチセンサ式ディスプレイであり得る、ディスプレイ、入力ボタン、ＬＥＤ等の視覚的インジケータ、容量または抵抗入力等のうちの１つ以上のものを含んでもよい。ステッカ１０２はまた、プロセッサ３０２の指示下、音を生成する、オーディオ発生器３１４を含んでもよい。例えば、オーディオ発生器３１４は、ステッカ１０２が、それまたはそれが取り付けられるデバイスが、盗難等、認可を伴わずに輸送されていることを決定すると、アクティブ化され、アラーム音を生成してもよい。
【００２９】
通信ネットワーク
通信機１２０は、ステッカ１０２が他のデバイスと通信することを可能にする。ステッカ１０２の通信機１２０は、１つ以上のまたは類似コンポーネントにおける１つまたは多くのソフトウェア構成可能プロトコルを用いて動作し得る、ソフトウェア定義無線または任意の他の従来の無線チップセット等の１つ以上の単一またはマルチチャネルソフトウェア構成可能無線（ＳＣＲ）３０６と、プロセッサ３０２上で実行され、短および長距離無線通信を可能にするために協働し、ＳＣＲ３０６を構成および制御する、ファームウェアを伴う、通信マネージャ３１０とを含んでもよい。ある実施形態では、ステッカ１０２は、ＳＣＲ３０６の代わりに、またはそれに加え、ステッカ１０２が有線ネットワークと通信することを可能にする、有線インターフェース３０８を含む。ある他の実施形態では、ステッカ１０２は、ステッカ１０２が無線ネットワークおよび有線ネットワークの両方と通信し得るように、有線インターフェース３０８およびＳＣＲ３０６の両方を含む。
【００３０】
ＳＣＲ３０６および有線インターフェース３０８の一方または両方を利用して、通信マネージャ３１０は、１つ以上のプロトコルを使用して、少なくとも１つの無線または有線ネットワークと通信するように構成される。
【００３１】
図４は、図１および３のステッカ１０２の通信機１２０をさらに例示的詳細において示す。通信マネージャ３１０は、ＳＣＲ３０６を構成および動作させる、ＳＣＲコントローラファームウェア４０２と、有線インターフェース３０８を構成および動作させる、有線インターフェースコントローラ４０４とを含む。通信マネージャ３１０はまた、コントローラ４０２および４０４による使用のための複数のプロトコル４２０−４５２のうちの１つ以上のものを選択する、プロトコル選択器４０６を含み、通信マネージャ３１０は、構成モジュール１３５内に記憶される構成情報およびエネルギーマネージャ３１８によって決定された現在のエネルギーステータスに従って動作する。図４の実施例では、メモリ３０４は、ＳｉｇＦｏｘ（ＳｉｇＦｏｘ（Ｌａｂｅｇｅ，Ｆｒａｎｃｅ）の商標名）プロトコル４２０、ロングタームエボリューション（ＬＴＥ）（欧州電気通信標準化機構（Ｓｏｐｈｉａ−Ａｎｔｉｐｏｌｉｓ，Ｆｒａｎｃｅ）の商標名）プロトコル４２２、ＬＯＲＡ（Ｓｅｍｔｅｃｈ（Ｃａｍａｒｉｌｌｏ，Ｃａｌｉｆｏｒｎｉａ）の商標名）プロトコル４２４、ＳＰＯＴＯプロトコル４２６、セルラー電話プロトコル４２８、ＩＭＥＳプロトコル４３０、ＬｏＪａｃｋプロトコル４３２、Ｗｉ−Ｆｉプロトコル４３４、ＴＶボックスプロトコル４３６、ホームセキュリティプロトコル４３８、Ｌｉｇｈｔ  Ｆｉｄｅｌｉｔｙ（ＬｉＦｉ）（ＩＥＥＥ８０２．１５．７ｒ１）プロトコル４４０、Ｂｌｕｅｔｏｏｔｈ（登録商標）低エネルギー（ＢＬＥ）プロトコル４４２、ＺｉｇＢｅｅ（ＩＥＥＥ８０２．１５．４）プロトコル４４４、ＡＮＴ／ＡＮＴ＋（Ｇａｒｍｉｎ（Ｏｌａｔｈｅ，Ｋａｎｓａｓ）の商標名）プロトコル４４６、ｔｒａｃｋＲプロトコル４４８（Ｂｌｕｅｔｏｏｔｈ（登録商標）４．０の変型）、Ｔｉｌｅプロトコル４５０、およびＲＦＩＤプロトコル４５２を含む、いくつかのデジタル無線ネットワークタイプのための構成情報およびプロトコルファームウェアを記憶するように示される。代替実施形態では、他のプロトコルが、提供されてもよい。これらのプロトコルのいずれかが、具体的デバイスペアリングまたはＳＳＩＤおよび暗号化キーまたはパスワード組み合わせを要求する場合、必要なペアリング情報、ＳＳＩＤ、パスワード、および暗号化キーが、構成モジュール１３５内に記憶される。メモリ３０４は、本明細書の範囲から逸脱することなく、より多いまたはより少ないプロトコルを含んでもよい。
【００３２】
ＳＣＲ３０６を構成するために、構成モジュール１３５およびプロトコル４２０−４５２は、ＳＣＲ３０６が、セルラープロトコル４２８、Ｗｉ−Ｆｉ４３４、またはＳｉｇＦｏｘ４２０プロトコルを使用した長距離通信と、短距離にわたって動作する、Ｂｌｕｅｔｏｏｔｈ（登録商標）低エネルギー４４２またはＺｉｇＢｅｅ４４４プロトコル等の短距離通信の両方を実装するように構成可能であるように、ＳＣＲ３０６を動作させるための電力および周波数ルールを定義してもよい。
【００３３】
ＳＣＲ３０６および有線インターフェース３０８のうちの１つを使用して、ステッカ１０２は、Ｗｉ−Ｆｉルータまたは無線ネットワーク中継デバイスまたは無線ネットワークブリッジ等のハブまたはルータと通信し、ひいては、ケーブル、光学、セキュリティ、および電気ラインを経由して動作可能なインターネット、セルラー電話、または当技術分野において公知の他のネットワーク等の１つ以上の従来のネットワークと接続してもよい。
【００３４】
ある実施形態では、ＳＣＲ３０６は、低電力動作および伝送専用機能性のみのために構成される。他の実施形態では、ＳＣＲ３０６は、伝送および受信の両方のために構成され、したがって、衝突検出を要求する、ＩＥＥＥ８０２．１１Ｗｉ−Ｆｉ等のプロトコルに従って、送受信機として動作することができ、インターネットプロトコル（ＩＰ）アドレス等のローカルプロトコルアドレスを割り当て、パケットの確認応答を提供してもよい。ある実施形態では、ステッカ１０２は、有線インターフェース３０８のみを含み、有線ネットワークのみを介して通信する。他の実施形態では、ステッカ１０２は、ＳＣＲ３０６および有線インターフェース３０８の両方を含み、接続可用性、構成モジュール１３５内に記憶されるような構成、およびエネルギーマネージャ３１８によって報告されるようなエネルギーレベルに従って、有線および無線ネットワークを介して、選択的に通信してもよい。
【００３５】
ステッカ１０２が、ＳＣＲ３０６と、高電力プロトコル（例えば、Ｓｉｇｆｏｘプロトコル４２０）および低電力プロトコル（例えば、ＢＬＥプロトコル４４２）の両方を含む場合、プロトコル選択器４０６は、高および低電力ネットワークの両方が利用可能である場合、高電力プロトコルより優先的により低い電力プロトコルを選択し、電力使用量を最小限にする。例えば、通信マネージャ３１０は、最初に、ＲＦＩＤ４５２、ＢＬＥ４４２、またはＡＮＴ／ＡＮＴ＋４４６プロトコル等の低電力プロトコルを使用して通信を試み、不成功であるとき、次いで、Ｗｉ−Ｆｉ４３４、Ｓｉｇｆｏｘ４２０、およびセルラー４２８プロトコル等の連続的により高い電力プロトコルを使用して通信するように試みてもよい。いったん通信が確立されると、通信マネージャ３１０は、将来的通信のために、より低い電力プロトコルを学習またはネゴシエートしてもよい。すなわち、通信マネージャ３１０は、階層方略を実装し、ステッカ１０２による通信の電力消費を低減させ、したがって、過剰なバッテリ消耗を伴わずに、より長い周期にわたって、ステッカ１０２がネットワークコネクティビティを維持することを可能にする。いったん通信マネージャ３１０が正常に通信する（すなわち、応答パケットを受信することによって示されるように、情報が目的地に正常に転送される）と、さらなる通信試行は、必要なく、任意のさらにより高い電力プロトコルは、使用されない。通信成功のために使用されたプロトコルは、将来的周期的伝送の際の使用のために記憶されてもよく、したがって、不成功プロトコルは、通信試行毎に再試行される必要はないが、それらは、長期インターバルを空けて再試行されてもよい。したがって、通信マネージャ３１０は、通信のために必要な電力の最小量を使用して通信するように動作する。
【００３６】
図６は、図１のステッカ１０２が既存の追跡デバイス６０２の通信範囲を増加させる、１つの例示的シナリオ６００を図示する。既存の追跡デバイス６０２は、無線周波数（ＲＦ）ビーコン信号を周期的に伝送するが、対応する追跡するデバイス６０６の範囲内ではなく、したがって、追跡デバイス６０６によって位置特定されない。ＲＦビーコン信号６０４の範囲内にある、ステッカ１０２（１）の通信マネージャ３１０は、ＳＣＲ３０６（または有線インターフェース３０８）を制御し、本実施例では、ＲＦビーコン信号６０４を含む、受信されている信号のプロトコルを検出する、プロトコル検出器４０８を含む。本実施例では、プロトコル検出器４０８は、特定の周波数上に受信するようにＳＣＲ３０６を構成することによって、異なるタイプの既存の追跡デバイスからの信号を「リッスン」するようにＳＣＲ３０６を周期的に構成し、次いで、任意の受信された信号を処理し、その信号のために使用されているプロトコルを決定し、追跡デバイスを認識する。プロトコル検出器４０８が、受信された信号がＴｉｌｅプロトコル４５０を使用していると識別する場合、プロトコル検出器４０８および／または通信マネージャ３１０は、信号が「Ｔｉｌｅ」ブランドの既存の追跡デバイスからであることを決定してもよい。通信マネージャ３１０は、次いで、必要に応じて、ＳＣＲ３０６を再構成するか、またはＳＣＲ３０６の別のチャネルを構成するかのいずれかを行い、検出されたプロトコルを使用して、受信されたＲＦビーコン信号６０４をＲＦビーコン６１４として再伝送し、それによって、Ｔｉｌｅ追跡デバイスの動作可能範囲を拡張してもよい。代替実施形態では、ステッカ１０２は、受信されたビーコン信号からの識別情報をログ付けし、次いで、ＳＣＲ３０６を再構成する、ＳＣＲ３０６の別のチャネルを構成する、または専用ＧＰＳ集積回路を有効にし、ＧＰＳ受信機として構成し、現在のＧＰＳ場所を取得し、次いで、ＳＣＲ３０６を再構成する、またはＳＣＲ３０６の別のチャネルを構成し、正常に通信された最後のネットワークとインターフェースをとり、識別情報およびＧＰＳ場所をサーバ１７０に送信してもよい。また、ステッカ１０２を既存の追跡デバイス６０２（例えば、「Ｔｉｌｅ」デバイス）に対して位置特定することによって、サーバ１７０が、必要性が生じる場合、付加的場所情報を収集し、ステッカ１０２を位置特定し得るため、ログ付け、それによって、ステッカ１０２の追跡はさらに、向上される。サーバ１７０は、ステッカ１０２に関連する多くの異なる種類の情報を収集してもよく、ステッカ１０２に関する直接場所および追跡情報が利用不可能である場合でも、その情報を使用して、ステッカ１０２の近似場所を決定し、その移動を追跡してもよい。ＲＦビーコン６１４は、既存の追跡デバイス６０６によって検出され、したがって、既存の追跡デバイス６０２を認知する。
【００３７】
動作の別の実施例では、通信マネージャ３１０は、有線インターフェース３０８および／またはＳＣＲ３０６を介して、代替プロトコルを使用して、ＲＦビーコン信号６０４の情報をメッセージ６２４として中継する。すなわち、ステッカ１０２は、異なるプロトコルを使用する場合とそうではない場合がある、２つの異なるネットワーク間にブリッジを形成する。既存の追跡デバイス６０２から受信されたＲＦビーコン信号６０４の上記の実施例を継続すると、通信マネージャ３１０は、ＲＦビーコン信号６０４の情報（例えば、他の既知のデバイスおよびネットワークの時間、近接度、および場所）を、ＳＣＲ３０６を介して、Ｗｉ−Ｆｉプロトコル４３４を使用して、サーバ１７０に送信する。ひいては、サーバ１７０は、既存の追跡デバイス６０２のパートナサーバ６０８を識別し、情報を既存のパートナサーバ６０８に転送する。例えば、サーバ１７０は、検出されたプロトコルおよび／またはメッセージ６２４内に含有されるＲＦビーコン信号６０４の情報に基づいて、パートナサーバ６０８を識別してもよい。したがって、既存の追跡デバイス６０２の情報は、ステッカ１０２（１）およびサーバ１７０によって、既存の追跡デバイス６０２に対応するパートナサーバ６０８にブリッジされる。
【００３８】
ある実施形態では、各プロトコル４２０−４５２は、そのプロトコルを介して受信された情報と関連付けられたサーバのウェブアドレスまたはＵＲＬを定義し、ステッカ１０２の通信マネージャ３１０は、ＲＦビーコン信号６０４の情報を、例えば、Ｗｉ−Ｆｉ４３４プロトコルを使用して、パートナサーバ６０８に直接転送する。
【００３９】
図６に図示されるように、複数のステッカ位置特定デバイス１０２（１）、１０２（２）を有する、システムでは、ステッカ１０２（１）は、ＲＦビーコン信号６０４の検出に応じて、そのＳＣＲをＧＰＳ受信機とし使用することによって、または別個のＧＮＳＳ／ＧＰＳチップセットをロケータ３３２として使用することによって等、その場所を決定し、本場所をメッセージ６２４内に含め、それによって、既存のパートナサーバ６０８に既存の追跡デバイス６０２の推定される場所を提供してもよい。したがって、ステッカ１０２は、事実上、既存の追跡デバイス６０６と同様に動作する。代替実施形態では、ローカルステッカ処理要件を低減させるために、ステッカ１０２（１）は、ＧＰＳまたは類似衛星識別および衛星信号間の時間差をサーバ１７０に伝送してもよく、予期側サーバ１７０は、本情報を使用して、ステッカ１０２（１）の場所を決定する。
【００４０】
動作の別の実施例では、プロトコル検出器４０８は、受信された信号が別のステッカ１０２からであると識別する。例えば、ステッカ１０２（２）は、信号６３４をステッカ１０２（１）から受信してもよい。ステッカ１０２（２）内では、通信マネージャ３１０は、受信された信号を処理し、これは、ステッカ１０２（１）がサーバ１７０と通信することが不可能であることを示す。ステッカ１０２（２）の通信マネージャ３１０は、次いで、以前に使用された経路を介して、信号６３４の情報をメッセージ６３６としてサーバ１７０に転送する、または代替経路および／またはプロトコルを介して、情報を転送するように試みる。ステッカ１０２（２）が、ステッカ１０２（１）より高い電力動作または付加的プロトコルを可能にするように構成される、またはステッカ１０２（２）と異なる信号障害物を被っている場合、ステッカ１０２（２）は、サーバ１７０に通じ得るが、ステッカ１０２（１）は、不可能である。これは、特に、ステッカ１０２（１）が、それ自体をＢＬＥプロトコルのような低電力プロトコルに制限することによって、バッテリエネルギーを節約する一方、ステッカ１０２（２）が、電力ケーブルを通して電力を引き込み、それ自体が、セルラー電話プロトコルのような高電力プロトコルを使用することを可能にする場合、可能性が高い。サーバ１７０が、応答をステッカ１０２（１）に送信する場合、ステッカ１０２（２）の通信マネージャ３１０は、ステッカ１０２（１）によって受信されるように、本応答をステッカ１０２（１）によって使用されるプロトコル内で再伝送し得る。したがって、各ステッカ１０２内で動作する、通信マネージャ３１０は、複数のステッカのメッシュネットワークを形成し、情報をステッカデバイス１０２とサーバ１７０との間で中継することが可能である。１つのステッカ１０２（１）が、ＲＦビーコン信号６０４を既存の追跡デバイス６０２から受信する場合、各ステッカ１０２内で動作する、通信マネージャ３１０は、形成されたメッシュネットワークを利用して、また、既存の追跡デバイスの情報を伝達してもよい。１つを上回るステッカデバイス１０２が、情報をステッカからサーバ１７０へおよびそこから中継することに関わってもよい。
【００４１】
ＳＣＲ３０６を装備するオプションを伴っている場合、ステッカ１０２は、ＲＦ信号を種々の周波数帯域内で選択的に受信し得る。ある実施形態では、ステッカ１０２自体が、受信された信号を処理してもよい。ステッカ１０２が、十分な処理電力およびエネルギーレベルを有する場合、ステッカ１０２は、受信された信号を直ちに処理し、その信号に関する情報を、サーバ１７０、近隣エリア内の他のステッカ１０２、および他のデバイスのうちの１つ以上のものに通信してもよい。ステッカ１０２の処理電力またはエネルギーレベルが、不十分である場合、受信された信号の処理は、エネルギーが十分となるまで遅延されてもよい、またはその信号の情報は、低電力モードのみによって、１つ以上の他のデバイスに通過されてもよい。別のデバイスに通過される場合、その他のデバイスは、サーバ１７０に到達するために十分なエネルギーを有し得る。ある実施形態では、ステッカ１０２は、さらなる処理のために、受信された信号をサーバ１７０に伝送および／またはストリーミングする。
【００４２】
他の実施形態では、ＳＣＲ３０６は、異なる帯域／異なるプロトコル内の携帯電話信号、ＩＥＥＥ８０２．１１無線ネットワーク信号、衛星ナビゲーション信号、直接ビデオブロードキャスト（ＤＶＢ）ＴＶ信号、およびステッカ１０２によって受信され得る、１つ以上のＶＨＦ／ＵＨＦ周波数帯域内の任意の他の信号を含む、種々のＲＦ信号を受信するように構成されてもよい。本書の目的のために、衛星ナビゲーション信号は、ロシアのＧＬＯＮＡＳＳ、米国のＧＰＳ（Ｎａｖｓｔａｒ）、欧州連合のＧａｌｉｌｅｏ、中国のＢｅｉＤｏｕまたはＢｅｉＤｏｕ−２等の大域的衛星ベースのナビゲーションシステム、インドのＩＲＮＳＳ（ＮＡＶＩＣ）等の地域的衛星ベースのナビゲーションシステム、およびＷＡＡＳ、ＧＡＧＡＮ、または類似システム等の衛星ナビゲーション拡張信号のうちの１つ以上のものを含む。これらは、異なる周波数帯域で動作し得る。
【００４３】
いくつかの実施形態では、場所は、衛星ナビゲーション信号から決定される。
【００４４】
これらの種々の他のタイプの信号を受信およびデコードする（ステッカ１０２またはサーバ１７０内のいずれかにおいて）ことによって、受信された信号内の情報は、ステッカ１０２の場所を決定するための付加的手段を提供し得る。例えば、Ｗｉ−Ｆｉアクセスポイントおよびルータから伝送されるＩＥＥＥ８０２．１１無線ネットワーク信号は、典型的には、ネットワークを識別する、ＳＳＩＤフィールドを含み、受信およびログ付けされることができる。例えば、特定の信号を受信することによって、ステッカ１０２（またはサーバ１７０）は、その信号タイプのソースの既知の場所に対するステッカ１０２の場所およびコンテンツおよび信号強度を決定し得る。複数のそのような信号が、受信される場合、ステッカ１０２および／またはサーバ１７０は、ステッカ１０２の場所をＧＮＳＳまたはＧＰＳ場所に対するバックアップとして三角測量してもよい。さらに、ＳＣＲ３０６は、ハードウェアプラットフォームを修正する必要なく、ファームウェアアップグレードによって、新しい無線通信規格をサポートするための柔軟性を提供する。
【００４５】
代替実施形態では、ＳＣＲ３０６の代わりに、ステッカ１０２は、１つ以上のデジタル無線回路を組み込む。これらのデジタル無線回路は、それを用いて動作するために適合される、それらのプロトコルおよび帯域のための機能性を提供する。ステッカ１０２内に組み込まれ得る、特定のデジタル無線回路は、ＩＥＥＥ８０２．１１互換性デジタル無線回路、デジタルセル電話ネットワーク互換性無線回路、Ｂｌｕｅｔｏｏｔｈ（登録商標）互換性無線回路、およびデジタル無線の当技術分野において公知の他のデジタル無線回路を含む。１つを上回るプロトコルのために構成可能なそのような無線回路を有する、または１つを上回るプロトコルのための無線回路が提供される、実施形態では、ＳＣＲ３０６を参照して説明される信号中継および他の機能は、提供されるデジタル無線回路と互換性がある場合、サポートされる。
【００４６】
認知
認知モジュール１４０は、１つ以上のセンサ３２２−３４８からの環境情報を利用して、ステッカ１０２の移動、運動、および／または環境の変化を決定および／または追跡する、運動トラッカ３５０ファームウェア等の知能を含む。図３に示されるように、ステッカ１０２は、歪みセンサ３２２、加速度計３２４、ジャイロスコープ３２６、磁力計３２８、カメラ３３０、ＧＮＳＳ／ＧＰＳロケータ３３２、マイクロホン３３４、温度センサ３３６、気圧計３３８、水分センサ３４０、湿度センサ３４２、光センサ３４４、近接度センサ３４６、ＩＲセンサ３４７、および超音波センサ３４８のうちの１つ以上のもの等の１つ以上のセンサを含む。認知モジュール１４０および運動トラッカ３５０は、いくつかの実施形態では、通信機１２０のＳＣＲ３０６と連動し、ＳＣＲ３０６を使用して、ローカル環境から、例えば、各８０２．１１ネットワークを識別するコンテンツを有するＳＳＩＤフィールドを有する、信号である、アクセスポイントおよびルータから伝送されるもの等の８０２．１１受信無線ネットワーク信号を含む、無線信号を受信およびログ付けまたは「探知」する。ＳＳＩＤに加え、無線ネットワークからの情報をリッスンおよび記録する（探知として知られる）間に受信された任意のＭＡＣアドレスおよびＩＰアドレスは、記録される。同様に、認知モジュール１４０および運動トラッカ３５０は、いくつかの実施形態では、近傍のセルラー電話基地局のセルＩＤ（ＣＩＤ）を記録する。大部分のセルラー電話基地局は、定常であって、既知の場所にあって、全てではないが、多くの８０２．１１アクセスポイントおよびルータもまた、定常であるため、ログ付けされたＳＳＩＤ、ＭＡＣ、およびＣＩＤ情報は、衛星ナビゲーション場所へのバックアップとして有用な場所情報を提供することができる。
【００４７】
代替実施形態では、ステッカ１０２は、マイクロホン３３４を監視し、例えば、子供の泣き声、ガラスの破砕音、故障した軸受の軋み音、ホーン鳴音、または銃声を含む、聞こえる音を分類する。音分類は、次いで、音分類のリストおよびイベント応答テーブル１３６構成モジュール１３５内のおよび所望のアクションに対してチェックされ、音が、指定される応答を伴う音として検出および分類される場合、音が検出されたことを示すメッセージが、サーバ１７０およびモバイルデバイス８０２（図８）に伝送され、いくつかの実施形態では、関連付けられた事前に構成されたコマンドが、ローカルアラーム８１４またはモノのインターネット（ＩＯＴ）デバイス８１８に伝送される。このように、ステッカ１０２は、構成に従って、ベビーモニタ、軸受故障インジケータ、または窓破損アラームとしての役割を果たし、特定の音が検出されると、アラームをアクティブ化する、またはライトをオンにし得る。
【００４８】
運動トラッカ３５０は、メモリ３０４内に記憶され、プロセッサ３０２によって実行される、機械可読命令を含む、ファームウェアを有する。運動トラッカ３５０は、少なくとも周期的に、１つ以上のセンサ３２２−３４８およびＳＣＲ３０６からの情報を処理し、メモリ３０４内に一時的に記憶される、ステッカ１０２の現在の物理的およびＲＦ環境３５４を決定する、環境評価ファームウェア３５２を含んでもよい。現在の環境３５４は、加速、回転移動、磁気配向、周囲光レベル、現在の地理的場所、周囲雑音レベル、周囲温度、周囲気圧、周囲湿度、他の物体との近接度、周囲の写真、ローカルデジタル無線環境から情報をリッスンおよび記録する（探知として知られる）ことによって受信されたＳＳＩＤおよびＣＩＤのパターン、およびステッカの任意の他のセンサによって観察される現在の情報のうちの１つ以上のものを示してもよい。
【００４９】
環境評価ファームウェア３５２は、現在の環境３５４と、以前に決定され、メモリ３０４内のステータストラッカ１５０内に記憶される、前の環境３５９を比較し、構成モジュール１３５内に記憶される１つ以上の環境変化閾値に基づいて、有意であるとき、ステッカ１０２に重要なイベントを示し得る、環境変化を決定する。例えば、加速度計３２４が、ある時間周期にわたって、一連の加速を示す場合、環境評価ファームウェア３５２は、ステッカ１０２、したがって、それが取り付けられるアセットが、移動されていることを決定してもよい。運動トラッカ３５０は、次いで、メモリ３０４内のステータストラッカ１５０のバッファ３６０内に記憶される、イベント３６２（１）を生成し、検出された移動を示し、サーバ１７０が到達可能である場合、移動に関する情報は、サーバ１７０に伝送されてもよい。イベント３６２（１）は、決定された移動の日時およびタイプのうちの１つ以上のものとともに、タイムスタンプされてもよく、その移動の振幅および持続時間を示し、ステータストラッカ１５０メモリ内に記憶されてもよい。
【００５０】
例示的実施形態では、現在の環境３５４と前の環境３５９を比較する際、環境評価ファームウェア３５２および／または状態ファームウェア３５８はまた、周囲温度が、閾値を上回る温度差で急降下したことを決定してもよく、それに応じて、運動トラッカ３５０は、イベント３６２（２）を生成し、ステッカ１０２が暖環境から冷環境に移動したことを示す。運動トラッカ３５０は、それによって、イベント３６２（１）および３６２（２）の両方に基づいて、ステッカ１０２が屋内場所から屋外場所に移動したことを推察し、イベント３６２（３）を生成し、移転されたことを示してもよい。現在のエネルギーレベルおよびネットワークコネクティビティが許容する場合、通信マネージャ３１０は、次のスケジュールされた周期的更新まで待機せずに、直ちに、イベント３６２（３）（および随意に、イベント３６２（１）および３６２（２））をサーバ１７０に通信してもよく、それに応じて、追跡アプリケーション１７２は、イベント３６２（３）（および随意に、イベント３６２（１）および３６２（２））を利用して、ステッカ１０２および関連付けられたアセットの移動を追跡し、移動通知メッセージをユーザに送信する。
【００５１】
センサ３２２−３４８は、ステッカ１０２内での付加的使用を有してもよい。例えば、ロケータ３３２は、精密な場所感知を提供する、ＧＰＳ受信機として実装されてもよい。加速度計３２４、ジャイロスコープ３２６、および磁力計３２８は、加速度計信号を数学的に積分することを通した速度および変位の大まかな推定のうちの１つ以上のものを提供してもよく、方向および頻度が、決定されてもよく、電力メトリックが、推定されてもよい。本データから、歪み、応力、および変形もまた、推測され得る。ステッカ１０２はまた、検出された移動に基づいて、伝送されるＲＦビーコン信号の周波数を変調させるように構成されてもよい。センサ３２２−３４８はまた、機械類とともに構成されるとき、ステータスおよび健全性を決定するために使用されてもよい。例えば、振動レベルまたは他のセンサ入力の変化は、そうでなければ気付かれないままであり得る、機械類内の状態の変化を示し得る、または機械類の性能の劣化を示し得る。マイクロホン３３４および／またはオーディオ発生器３１４（例えば、スピーカ）が、環境をリッスンし、正常および異常イベントを決定することを補助するために使用されてもよい。オーディオ発生器３１４は、例えば、ステッカ１０２が盗難されたと疑われる場合、可聴アラームを発するために使用されてもよい。
【００５２】
ある実施形態では、歪みセンサ３２２が、ステッカ１０２のプロセッサ３０２によって読み取られ、構成モジュール１３５内の事前に構成された歪み限界と比較される。歪みセンサ３２２および加速度計３２４の読取値のシーケンスの周期的高速フーリエ変換が、実施され、振動周波数および大きさを決定する。これらの振動周波数および大きさは、歪みセンサ３２２および加速度計３２４のピーク読取値とともに、構成モジュール内の限界テーブル１３７内の限界と比較され、これらの限界を超えることに応じて、構成モジュール１３５のイベント応答テーブル１３６内の所望のアクションが、読み出される。匹敵する時間ドメイン処理方法もまた、測定された信号の振幅および周波数を決定するために使用されてもよい。過剰な振動または過剰な歪みのためのイベント応答テーブル１３６内に設定されたアクションは、限界を上回る歪みまたは過剰な振動が検出されたことを示すメッセージをサーバ１７０およびモバイルデバイス８０２（図８）に送信することを含んでもよく、いくつかの実施形態では、関連付けられた事前に構成されたコマンドが、ローカルアラーム８１４またはＩＯＴデバイス８１８に伝送される。特定の実施形態では、ステッカ１０２は、油井ポンプジャックに取り付けられ、ＩＯＴデバイス８１８は、ポンプジャックへの電力を制御するために結合される、インターネットアクセス可能電力スイッチであって、事前に構成されたコマンドは、ステッカ１０２がポンプジャック内の過剰な歪みまたは振動を検出することに応じて、ポンプジャックをオフにする。
【００５３】
温度センサ３３６、気圧計３３８、水分センサ３４０、および湿度センサ３４２は、ステッカ１０２が、周囲条件を検査することによって、その関連付けられたアセットの環境／場所を決定することを可能にし得る。一実施形態では、ステッカ１０２は、湿潤すると、アラームを生成するように構成される。温度センサ３３６はまた、ステッカ１０２が、過熱等のアセット状態の変化または機械が予期通り停止および冷却したかどうかを検出することを可能にし得る。
【００５４】
光センサ３４４、近接度センサ３４６、ＩＲセンサ３４７、超音波センサ３４８、およびカメラ３３０は、ステッカ１０２が、現在位置する場所に関する手掛かりを提供することを可能にし得る。特定の実施形態では、高電力ＬＥＤまたはレーザ−ダイオードは、光センサ３４４、カメラ３３０、またはＩＲセンサ３４７とともに構成され、ライダとして動作し、ステッカ１０２が位置する環境についての付加的情報を提供するように構成される。いったん情報が、ライダ動作から得られると、これは、ステッカ１０２を物理的に位置特定する際に使用するために、サーバ１７０に伝送される。
【００５５】
光センサ３４４および関連付けられたＬＥＤは、いくつかの実施形態では、ステッカ１０２が、ＬｉＦｉデータ通信を実装することを可能にし得、ステッカ１０２が、日光が検出され、ステッカ１０２が太陽電池を組み込むエネルギー回収器３２０を装備するとき、ロケータ３３２（ＧＰＳ）等のステッカ１０２の他のコンポーネントをウェイクアップすることによって、電力節約を実装することを可能にし得る。
【００５６】
超音波センサ３４８が、ステッカ１０２と近傍の他の表面との間の距離を決定するために使用されてもよい。例えば、超音波センサ３４８は、ステッカ１０２が位置する建物またはエンクロージャのタイプを決定することを補助する。超音波センサ３４８からの信号は、ステッカ１０２および／またはサーバ１７０によって処理されてもよい。例えば、ステッカ１０２内の処理電力および／または電力レベルが低いが、通信のために十分である場合、超音波センサ３４８からの信号は、建物の構造の特性を決定する等の分析のために、サーバ１７０に送信される。
【００５７】
代替実施形態では、超音波センサ３４８は、ステッカ１０２が取り付けられるアセット２１０の中に超音波を放出するように構成される。本モードで動作されると、超音波センサは、それが取り付けられる感圧式接着剤２１２とアセット２１０の界面等の表面を検出するように構成され、加えて、物体内の表面を検出してもよい。これらの実施形態では、認知モジュール１４０が、反射率およびこれらの表面までの距離を記録し、ステータストラッカ１５０が、反射率および距離の有意な変化を観察するように構成される。接着剤２１２とアセット２１０の界面の反射率の変化および物体内の表面までの範囲の増加等のステッカ１０２のアセット２１０からの取外を示す、これらの表面の反射率および距離の有意な変化の検出に応じて、ステッカ１０２は、メッセージをモバイルデバイス（例えば、モバイルデバイス５６０、図５）または追跡サーバ１７０に伝送し、アセット２１０およびステッカ１０２が分離されたことを警告するように構成される。
【００５８】
さらに別の実施形態では、認知モジュール１４０が、通信機１２０のＳＣＲ３０６と通信し、ＳＣＲ３０６の送信機を使用して、周期的に、短パルスを無線測位波長において放出し、ＳＣＲ３０６の受信機をその無線測位波長において受信するように構成するように構成される。レーダシステムの当技術分野において公知のように、無線測位波長におけるそのようなパルスは、近傍の物体の表面によって部分的に反射される。ＳＣＲ３０６は、反射された信号を受信し、反射強度およびそれらの表面までの飛行時間を決定し、それによって、反射率およびこれらの表面までの距離を観察する。本実施形態では、ステータストラッカ１５０は、観察される反射率および距離の有意な変化を観察するように構成される。ステッカ１０２のアセット２１０からの取外を示す、これらの表面の反射率および距離の有意な変化の検出に応じて、ステッカ１０２は、メッセージをモバイルデバイス（例えば、モバイルデバイス５６０、図５）または追跡サーバ１７０に伝送し、アセット２１０およびステッカ１０２が潜在的に移転されたことを警告するように構成されてもよい。ステッカ１０２の中に内蔵される歪みゲージおよび／またはワイヤを含み得る、歪みセンサ３２２が、ステッカ１０２に印加される歪みおよび／または応力を検出するために使用されてもよく、構造監視またはステッカ１０２がその関連付けられたアセットから除去されるときを検出するために使用されてもよい。ある実施形態では、ステッカ１０２は、アセットから除去されていることを検出すると、アラーム信号を放出し、サーバ１７０が到達可能である場合、アラートメッセージをサーバ１７０に伝送するように構成される。
【００５９】
データのオフライン記録
ある実施形態では、メモリ３０４は、ステッカ１０２がサーバ１７０と通信することが不可能であるとき、有限時間周期にわたってイベント３６２を記憶する、１つ以上の先入れ先出しバッファ３６０を実装する。例えば、イベント３６２は、最も古いイベント３６２が、新しいイベント３６２がバッファ３６０の中に挿入されることを可能にするために破棄されると、サーバ１７０に通信されるまで、またはバッファ３６０がいっぱいになるまで、バッファ３６０内に残されてもよい。したがって、イベント３６２は、サーバ１７０との一時的通信喪失に起因して、直ちに喪失されない。ステッカ１０２が、サーバ１７０と再接続すると、ステッカ１０２は、利用可能な最も電力効率的通信方法を使用して、全ての「待機」イベント３６２をバッファ３６０からサーバ１７０に転送してもよい。ある実施形態では、サーバ１７０上の追跡アプリケーション１７２は、受信されたイベント３６２を処理し、関与ユーザのためのステッカ１０２のイベントを要約する報告を生成する。
【００６０】
予期される挙動パターン
図５は、図１のサーバ１７０をさらに例示的詳細において示す。追跡アプリケーション１７２は、ステッカ１０２からのイベント３６２を処理し、ステッカ１０２の現在の地理的場所およびステッカ１０２の現在の状況を決定する。例えば、追跡アプリケーション１７２は、ステッカ１０２の「正常」、したがって、「予期される」挙動が、決定されるように、ステッカ１０２の挙動パターン５５０を追跡および記憶する、１つ以上の学習アルゴリズム５０６を含んでもよい。ステッカ１０２から新しく受信されたイベント３６２を処理するとき、追跡アプリケーション１７２は、これらのイベント３６２がステッカ１０２の「正常」および／または「予期される」挙動を示すかどうか、またはこれらの新しいイベント３６２がユーザによる分類を必要とする予期しない挙動を示すかどうかを決定してもよい。例えば、ステッカ１０２が、ユーザが、頻繁に、早朝に車庫から取り出し、１時間乗車する、自転車に取り付けられるときを検討する。追跡アプリケーション１７２、ステッカ１０２からのイベント３６２の処理に応じて、ステッカ１０２が朝に車庫から出されることが正常挙動であることを決定する。追跡アプリケーション１７２が、ステッカ１０２が夜１１時に車庫から移動されたことを示す、１つ以上の新しいイベント３６２を受信すると、追跡アプリケーション１７２は、これが「正常」挙動ではないことを決定し、これがＯＫであることを確認する、および／またはアラートを発するように、ユーザと相互作用してもよい。ユーザとの相互作用は、追跡アプリケーション１７２の構成に従って、携帯電話へのＳＭＳテキストメッセージ、電子メール、合成された音声電話、または当技術分野において公知のユーザに迅速に連絡を取る他の方法によって行われてもよい。ユーザとの接続を試みることに加え、他のアラームが、設定され、ネットワークを通して伝送されることもできる。
【００６１】
図５はまた、プロセッサ５６２およびメモリ５６４を伴う、モバイルデバイス５６０を示す。モバイルデバイス５６０は、スマートフォン、タブレット、ラップトップ、および他のモバイルコンピューティングデバイスを含む、群から選択される。モバイルデバイス５６０のメモリ５６４は、モバイルデバイス５６０がステッカ１０２および／またはサーバ１７０と通信することを可能にするためにプロセッサ５６２によって実行される機械可読命令を含む、ステッカアプリ５６６とともに構成される。例えば、ステッカアプリ５６６は、ステッカ１０２の構成を促進し、ステッカ１０２および／またはサーバ１７０によって検出されたイベントの通知を提供してもよい。
【００６２】
動作モード
ステッカ１０２は、１つ以上の動作モードで動作するように構成されてもよい。単純ブロードキャストモードでは、ステッカ１０２は、ＲＦビーコン信号を規則的または不規則的インターバルで放出する。ＲＦビーコン信号は、信号強度を測定し、定常受信機の既知の位置および移動受信機の近似位置から計算することによって、ステッカ１０２の位置を決定するように動作し得る、１つ以上のデバイスによって検出されてもよい。これに加え、到着角技法もまた、複数のアンテナを有し、受信機からのステッカ１０２の方向および距離を決定することに役立つ、８０２−１１ｎルータ等の受信機を有する、いくつかの実施形態では、使用されてもよい。別の実施例では、ステッカ１０２は、異なるアンテナ場所における信号到着時間および／または位相オフセットを測定することによって、信号の到着角を決定してもよい。
【００６３】
ステッカ１０２は、状態変化対応ブロードキャストモードで動作してもよく、ステッカ１０２は、状態ファームウェア３５８およびセンサ３２２−３４８のうちの１つ以上のものを利用して、閾値変化を検出し、状態変化信号は、ブロードキャストされる。状態変化が、状態ファームウェア３５８によって検出されない場合、ステッカ１０２は、休止したままである、または周期的または非周期的ＲＦビーコン信号を放出し続けてもよい。
【００６４】
ステッカ１０２は、プログラマブルかつ低電力「ウェイクアップ受信機」とともに構成されてもよい。本タイプの無線受信機は、非常に低電力で動作し、ある周波数における無線アクティビティを検出する。いったん閾値を超える無線アクティビティが、ある周波数において検出されると、ウェイクアップ受信機は、プロセッサ３０２をウェイクアップさせる、インタラプト信号を生成する。本ウェイクアッププロセスは、ある信号パターンの受信に基づいて、または所定の信号強度を超える任意のアクティビティによって、トリガされてもよい。ウェイクアップ受信機の使用は、プロセッサ３０２が、具体的または一般的タイプの無線アクティビティが、周囲環境内で検出される、または内部タイマが切れるまで、低電力モードである、深いスリープ状態に置かれるため、ステッカ１０２の電力消費を低減させる。
【００６５】
少なくとも２つのステッカ１０２が、相互の通信範囲内に位置する場合、それらは、環境情報を共有してもよい。例えば、各ステッカ１０２が、センサ３２２−３４８の異なる組み合わせとともに構成される場合、それぞれ、付加的環境情報を他のステッカ１０２から学習してもよい。各ステッカ１０２が、類似センサを有する場合、感知された情報は、共有され、環境についての付加的情報を決定するために比較されてもよい。例えば、各ステッカ１０２が、少なくとも１つの加速度計３２４を含み、複数のステッカ１０２が、同時に、移動を検出する場合、それらは、地震または車両内の移動のいずれかが生じたことを決定してもよい。複数のステッカ１０２が、温度上昇を示す場合、それらは、火災が存在する、または空調機がシャットダウンされており、それらが、同一建物または部屋における可能性が高いことを決定してもよい。同様に、ステッカ１０２内またはいくつかのステッカ１０２間のセンサの異なるクラスからの情報は、センサ融合を使用して組み合わせられ、ローカル環境についてより学習してもよい。
【００６６】
代替実施形態では、第１および第２のステッカ１０２は、その感知された環境を比較し、その環境内の任意の有意な差異を報告するように構成されてもよい。本構成は、特に、高および低価値機器が同一実験室内にある場合、有用である。泥棒が、実験室内の全ての機器を搬送することが可能である可能性は低い。泥棒が、高価値機器をリュック、箱、またはスーツケース内に入れる一方、低価値機器を作業台上に残す場合、高および低価値機器における少なくとも周囲光レベルが、異なり、そこに取り付けられるステッカがアラームメッセージを伝送することを可能にするであろう。
【００６７】
同様に、複数のセンサからの情報は、組み合わせられ、付加的場所情報を提供してもよい。例えば、気圧計は、高度または階数情報を提供し得る一方、Ｗｉ−Ｆｉ、ＺｉｇＢｅｅ、ＳｉｇＦｏｘ、ＬＴＥ−Ｍ、Ｂｌｕｅｔｏｏｔｈ（登録商標）、およびＡＮＴ無線等のＧＰＳまたは他のセンサは、水平測位のために使用され得る。光センサおよび／または超音波センサは、ステッカ１０２が位置する部屋を決定するために使用され得る一方、超音波センサまたは無線パルスの双方向飛行時間測距は、近傍のステッカ１０２または他の支持デバイスからの距離を決定するために使用される。これに加え、ステッカ１０２からの気圧計は、その同一ステッカからのＧＰＳ高度推定を制約することに役立つために使用され得る。同様に、Ｗｉ−Ｆｉ信号は、ＧＰＳ信号の入手時間およびその位置正確度を改良するために使用され得る。
【００６８】
別の実施形態では、ステッカ１０２はまた、群集ファームウェア３５６を含み、２つ以上のステッカ１０２は、群集を形成し、群集についての種々の性質が、決定されてもよい。これらの群集関連性質は、限定ではないが、メンバの数、相対的位置、および現在の状態（例えば、移動中、定常等）を含み得る。これらの改良されたＲｘＴｘ（送受信機）ステッカ位置特定デバイスは、相互に通信し、群集サイズ、メンバ性質を決定することができ、それらの機能を実施するために他のネットワークサーバに依拠せずに、新しいステッカをメンバとして認識し、それを群集に追加すること等ができる。
【００６９】
第１のステッカ１０２が、送受信機として構成される場合、他のステッカ１０２は、送受信機として動作してもよく、伝送のみを行なってもよい、またはハブステッカが指定されるまで、送受信機として動作し、次いで、主に伝送し、受信を滅多に行わなくてもよい。第１のステッカ１０２は、グループまたは群集の他のステッカからの信号を集約する、「ハブ」ステッカ１１２として動作すべきであることを決定してもよい。ハブステッカ１１２およびステッカ１０２は、同じであってもよい、またはいくつかの実施形態では、具体的ステッカが、ハブステッカ１１２として動作するために構成されてもよい。特定の実施形態では、ハブステッカ１１２は、太陽エネルギーを回収するための他のステッカ１０２より大きい太陽パネルまたは付加的太陽電池セル、または傾斜と関連付けられたエネルギーを回収するためのより重い振り子およびより大きいコイル等の付加的エネルギー回収能力を有し、他のステッカとの通信および携帯電話タワー等への長距離通信のために必要とされる付加的エネルギーを提供する。別の特定の実施形態では、ハブステッカ１１２は、他のステッカ１０２と物理的に同じであるが、ユーザによってハブステッカとして作用するように構成されている。さらに別の特定の実施形態では、ステッカ１０２は、そのエネルギーレベルを通信し、最大数のステッカの群集とコンタクトするおよび／または最大エネルギーを有する、それらのステッカから選択されたステッカ１０２は、ハブステッカ１１２として指定される。本実施形態では、ハブステッカ１１２の指定は、ステッカ１０２間で自動的に巡回され、ステッカ１０２間の電力消費を分散させてもよい。
【００７０】
ハブとして動作するとき、ステッカ１１２は、その独自のローカルネットワーク内で動作し、信号をその近傍の他のステッカ１０２から直接収集してもよく、ステッカ１１２が、全てのステッカ１０２ではなく、そのうちのいくつかと直接通信し、また、ステッカ１１２と直接通信するステッカ１０２を通して中継される、他のステッカ１０２からの信号を収集することができる。次いで、プロンプトされると、および／または周期的に、ハブステッカ１１２は、環境変化および／または環境データに関連する捕捉された信号を、サーバへのセルラーまたはＷｉ−Ｆｉネットワークを通して、追跡サーバ１７０またはＳｉｇｆｏｘ、セルラー、Ｗｉ−Ｆｉまたは類似物等のネットワークを経由した通信のために適合され、追跡サーバ１７０に到達し得る、任意の近傍のデバイスに直接アップロードする。ネットワーク編成および構成に厳密には関連しない他のステッカからの信号は、中継されない。ある実施形態では、ハブステッカ１１２は、前述のネットワークのうちの１つ以上のものと継続してコンタクトする。他の実施形態では、群集内の全てのステッカ１０２が、既存のＳｉｇｆｏｘまたはセルラータワー、ルータ、スマートＴＶ等のうちの１つ等の既存の非ステッカハブと通信する。すなわち、既存のハブは、２つ以上のステッカ１０２内の群集認知を可能にする。特定の実施形態では、群集内のステッカは、協働して、指定されるハブステッカ１１２を決定し、外部電力が利用可能かつ高エネルギー状態のステッカに本役割を優先的に割り当てる。いったんハブステッカ１１２が、指定されると、ハブとして指定されないステッカは、その送信機および受信機が、一時的にのみ、周期的または非周期的ステータス報告を伝送し、その伝送の確認応答を受信することを可能にすることによって、電力を節約してもよい。一実施形態では、サーバ１７０は、ハブステッカ１１２によって決定された群集情報を受信および追跡する、群集モニタ５１０を実装する。サーバ１７０が、１つ以上のメンバが群集から欠測していることを識別すると、検索が、より広いネットワークによって可能にされ、欠測メンバが、別の場所に現れる、または別の群集に追加されているかどうか確認し、欠測メンバが、位置特定されることができない場合、サーバ１７０は、所有者にコンタクトしてもよい。代替として、ある群集に属するステッカが異なる群集に加わっているとき、その場所の通知が、所有者に送信され得る。
【００７１】
図７は、ステッカ１０２（２）−（４）を含む、１つの例示的群集７００を示し、ステッカ１１２が、ハブステッカとして指定されており、送受信機として構成され、群集認知３５７を維持する。一実施形態では、ステッカ１１２は、ステッカ１０２（２）−（４）と直接通信し、情報をこれらのステッカ１０２（２）−（４）からサーバ１７０に中継する、通信ブリッジとして動作し、サーバ１７０の群集モニタ５１０は、群集認知５１２を維持する。
【００７２】
一実施形態では、新しいステッカ１０２（５）が、群集７００のエリアの中に移動すると、ステッカ１１２によって検出され、群集７００に自動的に追加されてもよい。別の実施形態では、新しいステッカ１０２（５）が、群集７００のエリアの中に移動すると、ステッカ１１２によって検出され、ステッカ１１２は、ステッカ１０２（５）の到着を示すメッセージ７０４をサーバ１７０に生成する。ある実施形態では、ステッカ１０２（５）は、群集追加モードで構成され（例えば、ステッカ１０２（５）上のボタンを押下することによって）、それに応じて、ステッカ１０２（５）は、群集７００に追加されるべきであることを示す、信号を伝送する。別の実施形態では、ステッカ１１２上のボタンが、押下される（またはある他の好適な入力信号が、提供される）と、ステッカ１１２に、任意の新しいステッカ１０２を群集７００の中の範囲内に含めさせる。
【００７３】
全てのステッカ１１２、１０２（２）−（５）が、送受信機として構成される場合、各ステッカ１０２／１１２は、群集認知７０２を実装してもよく、ステッカ１０２／１１２のうちの任意の１つは、Ｗｉ−Ｆｉ、セルラー、Ｓｉｇｆｏｘ、およびその他等の任意の利用可能なネットワークを介して、群集７００のステータスをサーバ１７０に送信してもよい。
【００７４】
群集７００のメンバである、任意の１つのステッカ１０２／１１２が、欠測状態になる（すなわち、範囲外に出る、動作に失敗する、通信に失敗する等）場合、群集７００の残りのステッカ１０２／１１２および／またはサーバ１７０は、群集メンバの不在を検出し、アラートを発してもよい。一実施形態では、ステッカ１０２（３）が、群集７００の他のメンバと通信することが不可能であることを決定する場合、任意の利用可能なネットワークを介して、群集７００とのコンタクトが喪失されたことを示すメッセージをサーバ１７０に送信するように試みてもよい。群集７００からの任意の他のメンバの喪失を決定する、群集７００の任意のメンバもまた、他の群集のメンバが欠測メンバを位置特定することに役立ち得るように、他の群集に喪失を通知するためのメッセージを生成してもよい。より広いネットワークを用いた通信が、可能であるとき、任意の群集のハブ（例えば、ハブとして動作するステッカ１１２）は、サーバ１７０を任意の追加または喪失された群集メンバで更新する。このように、サーバ１７０は、近傍の群集にクエリし、欠測群集メンバが別の群集に追加されたかどうかを決定するようにアラートされてもよい。サーバ１７０は、任意の欠測ステッカ１０２の一意のＩＤ３０５が追加される、欠測ステッカリストを含んでもよい。サーバ１７０が、新しい一意のＩＤ３０５を学習すると（例えば、ステッカ１０２が群集に追加されると）、そのＩＤは、欠測ステッカリストに対してチェックされ、ステッカを以前に喪失されたステッカに対応するものと識別することができ、したがって、適切なアクションが、開始されてもよい。
【００７５】
クラウドソーシング
追跡されたアセットが喪失される場合（すなわち、アセットが、移動され、もはや予期される場所にない場合）、別のステッカ１０２、ルータ、モバイルデバイス、セルラーネットワークタワー、Ｓｉｇｆｏｘタワー、またはスマートＴＶセット等の任意の他の受信デバイスが、アセットに取り付けられるステッカ１０２によって伝送される信号を検出するために使用されてもよい。例えば、タワーの動作範囲内の任意のそのような通信デバイスが、登録され、したがって、タワーは、時間、日付、セルラー電話モバイル機器識別番号（ＭＥＩＤ）または他の一意のＩＤ３０５等のデバイスＩＤ、および信号強度を含む、通信の履歴を構築する。サーバ１７０は、それによって、タワー上で実行される、アプリケーションプログラミングインターフェース（ＡＰＩ）を利用して、特定のデバイスに関する履歴情報を読み出してもよい。例えば、タワーが、伝送される信号を喪失されたアセットに取り付けられるステッカ１０２から検出する場合、サーバ１７０は、サービスプロバイダの関連付けられたＡＰＩを使用して、欠測ステッカ１０２が登録された任意のタワーを「検索」してもよい。サーバ１７０は、次いで、タワーの場所に基づいて、および随意に、欠測ステッカ１０２を登録した他のタワーから受信された情報から、アセットの近似場所および／または移動方向を決定してもよい。
【００７６】
本クラウドソーシング能力は、モバイルソフトウェアアプリケーションがＲＦビーコン伝送をステッカ１０２から検出するために広く利用可能であるとき、大幅に向上される。例えば、スマートフォンおよび他のそのようなモバイルデバイス上で起動される、本アプリケーションは、紛失アセットの位置特定に寄与し得る。モバイルデバイス上のアプリの使用を促すために、紛失アセットを見出すための報酬が、与えられてもよい。
【００７７】
有利には、ステッカ１０２を伴う紛失アセットまたは受信側モバイルデバイスのいずれも、ＲＦビーコン信号がモバイルデバイスによって検出されるとき、別のネットワークに接続されている必要はない。むしろ、ＲＦビーコン信号が検出されるとき、モバイルデバイスは、モバイルデバイスが、セルラーネットワーク等の広域ネットワークまたはＷｉ−Ｆｉネットワークに再接続すると、紛失アセットの近似場所が、サーバ１７０に報告され得るように、そのＧＰＳ受信機をアクティブ化する、または別様に検出場所を記憶してもよい。
【００７８】
検出されたＲＦビーコン信号が、解釈されることができない場合、受信された信号の周波数帯域およびその近似場所がサーバ１７０に報告されてもよい。ステッカ１０２が、電力を喪失しそうである場合、ステッカ１０２は、その低電力ステータスを示すメッセージを伝送してもよい。したがって、範囲または同一群集内の他のデバイスが、電力切れ前のデバイスの最後の既知の場所を報告してもよい。
【００７９】
使用の実施例
ステッカ１０２は、任意の物体、動物、または人間を追跡するために使用されてもよい。例えば、ステッカ１０２は、子供、老齢の両親、または性犯罪者および仮出所者等の法的に移動が制限されている人々等、人々を追跡するために使用されてもよい。ステッカ１０２は、鍵、財布、電話、および眼鏡等の小型の頻繁に置き忘れされるアイテムを追跡するために使用されてもよい。ステッカ１０２は、スキー板、ラケット、サーフボード、パドルボード等のスポーツ機器、ＴＶ、コンピュータ、タブレット、電話のような電子デバイス、電動ボート、帆船、カヌー、カヤック、カート、スケートボード、およびホバーボードスを含む、自転車（人力、電気補助、および完全に電気）、車、モータサイクル、トラック、バン、鉄道車両、および船舶のような輸送デバイスを追跡するために使用されてもよい。ステッカ１０２は、絵画、花瓶、彫刻、宝石、およびコイン等の自宅または会社内の貴重品、ペット、家畜、および野生を含む、動物、空港内の手荷物等のアセット、パレット、発送用コンテナ、禁制品、または病院、空港、建設現場、ショッピングモール、エンターテインメント会場、公共空間内の人員および機器を追跡するために使用されてもよく、最後に、武器、爆発物、および軍事機器を含む、危険物を追跡するために使用されてもよい。
【００８０】
群集認知を用いて動作するとき、ステッカ１０２は、局所的研究グループ内の家畜および野生動物の群集等、通常、自宅または会社から移動されない、電子デバイスおよび他のアイテムを追跡するために使用されてもよい。
【００８１】
ステッカ１０２は、セキュリティ目的のために、群集概念の変形例を使用してもよい。例えば、ステッカ１０２は、アセットを自宅または会社のセキュリティネットワークの中に集合的にグループ化するために使用されてもよい。ステッカ１０２はまた、その独自のセキュリティネットワークの中に形成されてもよく、利点は、従業員、家族、友人、隣人等の信頼された輪と関連付けられることが可能であることである。このように、例えば、家族である、兄弟、両親、およびその隣人の１人以上のユーザが、群集内にグループ化されるアセットが紛失する場合、通知され得る。群集（例えば、図７の群集７００）は、アクティブ受信機を有する、１つ以上のステッカを用いて、新しいメンバを検索し続け得るため、また、窃盗、侵入、または強盗等の犯罪の間、何者かに搬送または使用され得る、携帯電話ＭＥＩＤまたはタブレットの８０２．１１ＭＡＣ  ＩＤ等の任意の電子無線計器の識別を検出および記録し得る。これらの記録は、貴重な証拠となり得る。
【００８２】
図８は、ステッカ１０２が状態認知モードで動作する、１つの例示的シナリオ８００を示す。状態認知モードで動作するとき、ステッカ１０２は、状態の変化が検出されるまで、休止したままである、またはＲＦビーコン信号を低レートで伝送してもよい。状態認知モードでは、ステッカ１０２は、アセットが移動または降下されたときを検出する、アセットが場所を変化させたときを検出する、何者かがＧＰＳセンサを偽装または妨害しようとしているときを検出する、それ自体が群集から喪失されたときを検出する、ある人物が、転倒した、意識不明になった、または異常な生理学的メトリックを有するときを検出する、何者かが禁止区域に進入したときを検出する、およびアセットから除去されたことを検出するために使用されてもよい。図８の実施例では、ステッカ１０２は、状態変化を検出し、ＲＦビーコン信号を伝送するそのレートを増加させ、ネットワークが範囲内にある場合、メッセージ８２４を追跡サーバ１７０に送信し、状態変化を示す。サーバ１７０は、次いで、ユーザに、電子メールを任意の事前に設定された電子メールアドレスに送信する、テキストメッセージを携帯電話等のモバイルデバイス８０２（図８）に送信する、ローカルアラーム８１４をアクティブ化する、そこから警備員が派遣される、または警察に通知され得る、中央アラームステーション８１６に信号伝達する、ドアロック、空調装置、暖炉、車庫ドア解錠装置、火災アラーム、または照明具等の１つ以上のモノのインターネット（ＩＯＴ）デバイス８１８をアクティブ化すること等のサーバ１７０上で構成可能な１つ以上の方法によって、またはセキュリティアラーム技術において公知の他の方法によって、ステッカ１０２によって追跡されているアセットの異常状態を通知してもよい。代替実施形態では、構成モジュール１３５の限界テーブル１３７内の限界を超える温度または湿度等の特定の状態変化の検出に応じて、ステッカ１０２は、同様に構成モジュール１３５内のイベント応答テーブル１３６（図２）をチェックし、そのように構成されている場合、また、事前に構成されたコマンドをＩＯＴデバイス８１８に直接伝送し、それによって、ステッカ１０２が取り付けられるコンピュータがオーバーヒートするとき、空調装置をオンにする、または家電から漏水しているとき、止水する等、構成可能アクションをコマンドする。
【００８３】
ステッカ１０２が、車両内に付置されている場合、そのＲＦビーコン信号に対する応答を感知し、その一意の識別で応答してもよく、その識別は、料金収受または自動駐車料金支払のために使用されてもよい。ステッカはまた、道路雑音を記録し、そのような記録から、道路表面のタイプ、線路の交差点のような音源による交通および通行の特性、または車両が移動中であるときを決定することが可能であろうため、行方不明になった車両を追跡することを補助し得る。有利には、通行料を支払うために動作するとき、ステッカ１０２は、料金所場所、時刻、および支払った金額を記録してもよい。
【００８４】
ステッカ１０２が、車両内に付置される場合、ステッカを伴う他の車両、またはセルラー、Ｗｉ−Ｆｉ、およびＢｌｕｅｔｏｏｔｈ（登録商標）無線のようなそれが検出し得る他のデジタル無線信号をリッスンし、携帯電話またはＭＡＣＩＤから検出された任意のＭＥＩＤおよび検出されたＷｉ−Ｆｉデバイスのネットワーク名のログ付けを含め、その検出を記録してもよい。本タイプの捕捉されたメタデータは、交通に関する令状が発行されたまたは犯罪行為に関わった車両の場所を決定するための法律の施行、ステッカ１０２を伴う潜在的車を含む、行方不明または盗難車の回収、およびリアルタイム交通量問題および渋滞問題の検出において使用され得る。これは、ステッカのログ付けおよびそれらのネットワークが利用可能になるときのより広いエリアネットワークへの中継能力を通して、遠隔エリアまたは不感帯においてさえ、動作可能となるであろう。
【００８５】
ステッカ１０２はまた、無線ネットワークのカバレッジを拡張し、および／またはネットワークのトポロジを変化させてもよい。例えば、複数のステッカ１０２がそれぞれ、Ｗｉ−Ｆｉプロトコル４３４を実装し、スマートホーム内に存在し、利用可能な十分な電力を有する場合、それらは、所望のエリア内のＷｉ−Ｆｉコネクティビティおよびカバレッジを拡張してもよい。これは、ステッカ間通信プロトコルに基づいて、ネットワークトポロジさえ変化させ得る。
【００８６】
ステッカ１０２はまた、コネクティビティバックアップを提供してもよい。例えば、干渉が一時的に使用不可能になるような特定の無線帯域を中断させる場合を検討する。ステッカ１０２は、第１の帯域上の第１のプロトコルからの信号を第２の帯域上の第２のプロトコルに変換し、使用不可能帯域上の長距離通信の必要性を回避してもよい。したがって、ステッカ１０２は、ある帯域が妨害される、または他のそのような停電が生じるときでも、完全動作ネットワークを維持し得る。
【００８７】
ステッカ１０２は、様々なセンサ３２２−３４８を含んでもよく、複数のステッカ１０２は、相互におよびより広いネットワークと通信してもよい。したがって、ステッカ１０２は、同時位置特定およびマッピング（ＳＬＡＭ）のためのプラットフォームとしての役割を果たし得る。これらの方略は、ステッカ１０２および／またはステッカ１０２のネットワークが、その環境の近似マップを作成し、そのマップ内の１つ以上のステッカ１０２を位置特定することを可能にする。
【００８８】
ある実施形態では、高電力無線モードを使用するために十分なエネルギーが利用可能であると仮定すると、ステッカ１０２は、図９に図示されるように動作する。ステッカは、ＳＣＲ３０６を使用して、ステッカ１０２の近傍で動作するネットワークＩＤ、これらのネットワークＩＤの中から、任意のローカルセルタワーのＣＩＤおよび任意の近傍のＩＥＥＥ８０２．１１Ｗｉ−Ｆｉネットワーク観察する９０２。ステッカ１０２は、次いで、ローカルエリア内の任意の他のステッカをリッスンし、それと通信する９０４。第２のステッカがエリア内に存在し、群集モードが有効にされる場合、ハブステッカが、決定される９０６。ステッカ１０２が、ハブであると決定され、ステッカ１０２がネットワークパスワードとともに構成されている、セルラー電話ネットワークまたはＷｉ−Ｆｉネットワーク等の長距離ネットワークが、ローカルで存在する場合、ステッカ１０２は、まだログインされていない場合、そのネットワークにログインする９１０。本ログインは、そのネットワークを経由したステッカ１０２とサーバ１７０との間の通信を可能にする。
【００８９】
指定されたハブとして作用する場合、ステッカ１０２は、それが他のステッカから受信した任意の報告をサーバ１７０に中継する９１２。ステッカ１０２はまた、それが観察した任意の環境変化を、決定された場所とともに、サーバに伝送する。いったん任意の環境変化がサーバ１７０に伝送されると、ステッカ１０２は、ローカル環境の感知を継続する９１６。
【００９０】
９０８において、ステッカ１０２が、ハブとして指定されない場合、ステッカ１０２は、それが観察した任意の環境変化を報告として指定されたハブステッカに伝送し、ローカル環境の感知を継続する９１６。オーディオを分類する、または振動を決定するための処理を必要とする、任意のオーディオ、歪みゲージ読取値、または加速度計読取値が、処理される９２０。次いで、環境変化は、限界テーブル１３７内の限界と比較され、報告可能変化が生じたかどうかを決定する９２２。９２４において、報告可能変化が生じていない場合、ステッカ１０２は、ＳＣＲの使用を継続し、任意の他の近傍のステッカと通信する９０４。９２４において、報告可能変化が生じた場合、報告が、報告可能環境変化とともにフォーマットされる。ステッカ１０２は、その現在の場所の決定を継続し９２６、ＧＰＳを使用して、ＧＰＳが利用不可能である場合、観察されたネットワークＩＤおよび他のセンサ読取値を含む、場所手掛かりを使用して、それを報告に付加する。報告可能環境変化は、イベント応答テーブル１３６内でルックアップされ、任意のコマンドがローカルアラームおよびＩＯＴデバイス８１８に送信されるべきであるかどうかを決定する。コマンドが、ＩＯＴデバイス８１８またはローカルアラームに送信されるべきである場合、それらのコマンドは、ステッカ１０２が、ＳＣＲの使用を継続し、任意の他の近傍のステッカと通信する９０４前に、適切なプロトコルのために構成されるＳＣＲ３０６を使用して、伝送される９２８。
例示的具体的実施形態
【００９１】
自転車に関する例示的実施形態では、ステッカ１０２のエネルギー回収器３２０は、太陽電池または太陽パネルとともに構成され、太陽エネルギーを収集し、バッテリ３１６を充電し、ステッカ１０２は、Ｗｉ−Ｆｉプロトコル、ＡＮＴ／ＡＮＴ＋プロトコル４４６、ＢＬＥプロトコル４４２、およびセルラープロトコル４２８を用いて動作するように構成される。ステッカ１０２は、車庫内に保管されるロードバイクに取り付けられる。ステッカ１０２は、自宅のＷｉ−ＦｉネットワークのＳＳＩＤおよび暗号化キーとともに構成され、自宅内の種々のユーザデバイス（例えば、スマートフォン、タブレット、スマートＴＶ等）と通信し得る。車庫内の光量レベルは低いため、回収器３２０は、自宅ネットワークおよび他のスマートデバイスがその存在が存続することを把握するように、低電力の低頻度ＡＮＴ、ＢＬＥ、またはＷｉ−Ｆｉ信号のためにのみ十分な電力を生成する。
【００９２】
しかしながら、規則的ベースで、ロードバイクは、屋外乗車のために、車庫から取り出される。これらの屋外乗車の間、回収器３２０は、バッテリ３１６を急速充電する。通信マネージャ３１０は、これらの乗車の間、乗車者のスマートフォンと通信し、ホームネットワークから離れている間、小規模信頼モバイルネットワークを形成する。
【００９３】
ロードバイクが、車庫から窃盗され、ステッカ１０２が、そのホームまたはモバイルネットワークと通信することが不可能になる場合、ステッカ１０２は、遭難信号を、その範囲内にあって、任意の必要な暗号化キーを有する、任意のＡＮＴ、ＢＬＥ、Ｗｉ−Ｆｉネットワークに送信する。光レベルおよびバッテリ電力が可能である場合、ステッカ１０２は、セルタワーが範囲内にある場合、携帯電話ネットワークを経由して、メッセージを送信してもよい。同時に、自宅のネットワークは、ステッカ１０２が欠測されていることを検出し、アラートメッセージをサーバ１７０に生成し、これは、ひいては、ユーザにコンタクトし、および／またステッカの大規模コミュニティが、ステッカ１０２が検出されたかどうかを報告することを可能にする。
【００９４】
認知モジュール１４０が、加速度計等の運動センサを有し、そのホームネットワークの範囲外に出る前に窃盗されたことを決定する場合、ステッカ１０２は、遭難信号をホームネットワークを介してサーバ１７０に送信してもよい。
【００９５】
別の例示的実施形態では、屋外動物の群集がそれぞれ、耳、角、首輪、皮膚下、または他の方法において取り付けられ得る、１つのステッカ１０２とともに構成される。各ステッカ１０２は、送受信機として構成され、ステッカ１０２は、ネットワークを設定し、群集を形成するように協働する。１匹の動物が、群集から迷子になる場合、ステッカ１０２は、もはや群集の任意の他のステッカと通信することができないことを決定し、「遭難信号」を伝送する。本遭難信号は、ステッカ１０２の１つ以上のプロトコル４２０−４５２を使用して、周期的に伝送されてもよいが、ステッカ１０２が互換性があるネットワークの範囲内に来るまで検出され得ない。同時に、群集の別のステッカ１０２は、群集のうちの１つのメンバが、欠測されていることを決定し、また、互換性があるネットワーク内にあるとき、アラートをサーバ１７０に送信する。サーバ１７０は、アラートを認知することに応じて、次いで、他の群集内に存在し、他のタイプのデバイスと関連付けられ得る、他のステッカに、欠測ステッカが検出されるかどうかを報告するように命令してもよい。
【００９６】
別の例示的実施形態では、自宅、美術館、または会社（以降、建物）内の電子機器、絵画、貴重品、金庫、およびスポーツ機器等の物体の集合がそれぞれ、ステッカ１０２とともに構成される。各ステッカ１０２は、太陽電池および／またはバッテリ等のエネルギー回収デバイスによって自己給電され、または主電源によって給電される。集合的に、ステッカ１０２は、群集を形成し、協働し、携帯電話、自転車、および車等の建物に定期的に進入およびそこから退出するデバイスを追跡し、そして、絵画およびメディア電子機器のような通常建物から退出しない物体を追跡する。新しい物体が、建物に進入すると、そのステッカ１０２は、群集に加わることを要求し得る。例えば、ステッカ１０２の機能性をアプリ内で起動する、モバイルデバイスは、建物に進入すると、群集に加わることを要求し得る。群集の管理者によって与えられ、構成モジュール１３５内に見出される、許可に応じて、群集に加わるための許可を与えられる場合とそうではない場合がある。例えば、訪問当事者のステッカは、群集に加わることを可能にされ得ないが、しかしながら、新しい美術品が、建物の中に持ち込まれ、新しいステッカ１０２が、美術品上に設置され、アクティブ化される場合、新しいステッカ１０２が、建物の群集に加わることを要求すると、承認および追跡される。ステッカ１０２が、関連付けられた物体が建物から退出したことを決定する場合、ステッカ１０２は、サーバ１７０に信号伝達し、これは、次いで、所有者デバイスにコンタクトし、物体が建物から退出ことを許可されているかどうか確認し、および／または所有者に、ステッカおよび関連付けられた物体が、欠測されていることを通知してもよい。所有者が、ステッカ１０２を群集から離れることの許可を有していないと構成している場合、ステッカ１０２は、建物から退出するとき、アラートを生成してもよい。
【００９７】
組み合わせ
位置特定デバイスは、本明細書に説明される特徴の多くの異なる組み合わせを含んでもよい。本発明者らによって具体的に予期される組み合わせは、以下の通りである。
【００９８】
プロセッサと、プロセッサと結合される、メモリとを有する、回路基板と、メモリ内に構成される、一意の識別子と、ネットワークを通してサーバに通信し、直接、少なくとも第２の位置特定デバイスと通信するように構成される、通信機と、位置特定デバイスの環境を感知するように構成される、少なくとも１つのセンサとを含む、Ａと指定される、第１の位置特定デバイス。メモリは、位置特定デバイスの場所情報を決定し、少なくとも１つのセンサによって観察されるようなステータスの変化を決定し、ステータスの変化の検出に応じて、一意の識別子および場所情報を含むメッセージをサーバに伝送するように構成される、ファームウェアを含む。
【００９９】
少なくとも１つのセンサは、第１の位置特定デバイスの移動を感知するように構成される、センサを含む、Ａと指定される、第１の位置特定デバイスの特徴を含む、ＡＡと指定される、第１の位置特定デバイス。
【０１００】
通信機は、複数の異なるプロトコルを使用して通信するように構成可能な少なくとも１つのソフトウェア構成可能無線を含み、メモリは、ソフトウェア構成可能無線を構成し、複数の異なるプロトコルのうちの少なくとも２つを使用して通信するように適合される、ファームウェアを含有する、ＡまたはＡＡと指定される、第１の位置特定デバイスの特徴を含む、ＡＢと指定される、第１の位置特定デバイス。
【０１０１】
通信機は、複数の異なるプロトコルのうちの少なくとも２つのうちの第１のものを使用して、第２の位置特定デバイスと通信し、複数の異なるプロトコルのうちの少なくとも２つのうちの第２のものを使用して、サーバと通信するように構成される、Ａ、ＡＡ、またはＡＢと指定される、第１の位置特定デバイスの特徴を含む、ＡＣと指定される、第１の位置特定デバイス。
【０１０２】
第１の位置特定デバイスは、第２の位置特定デバイスから受信されたメッセージをサーバに中継するように構成される、Ａ、ＡＡ、ＡＢ、またはＡＣと指定される、第１の位置特定デバイスの特徴を含む、ＡＤと指定される、第１の位置特定デバイス。
【０１０３】
第１の位置特定デバイスは、デジタル無線ネットワークを介して、感知された移動情報および運動情報の一方または両方をサーバに送信するように構成され、通信機は、デジタル無線ネットワークと直接通信するために構成可能なデジタル無線を含む、Ａ、ＡＡ、ＡＢ、ＡＣ、またはＡＤと指定される、第１の位置特定デバイスの特徴を含む、ＡＥと指定される、第１の位置特定デバイス。
【０１０４】
ファームウェアは、ソフトウェア構成可能無線を使用して、無線信号をローカル環境から受信し、ＩＥＥＥ８０２．１１ネットワークＳＳＩＤ、ＭＡＣアドレス、ＩＰアドレス、および近傍のセルラー電話基地局と関連付けられたセルＩＤ（ＣＩＤ）から成る群から選択される、少なくとも１つの識別子をログ付けし、少なくとも１つの識別子をサーバに伝送するように構成される、Ａ、ＡＡ、ＡＢ、ＡＣ、ＡＤ、またはＡＥと指定される、第１の位置特定デバイスの特徴を含む、ＡＦと指定される、第１の位置特定デバイス。
【０１０５】
少なくとも１つの識別子をサーバに伝送するように構成される、ファームウェアは、第１の位置特定デバイスの移動の検出に応じて、少なくとも１つの識別子をサーバに伝送するように構成される、Ａ、ＡＡ、ＡＢ、ＡＣ、ＡＤ、またはＡＦと指定される、第１の位置特定デバイスの特徴を含む、ＡＧと指定される、第１の位置特定デバイス。
【０１０６】
ファームウェアはさらに、プロセッサによって実行されると、少なくとも第２の位置特定デバイスと協働し、位置特定デバイスのローカルデジタル無線ネットワークを作成することが可能である、機械可読命令を備える、ＡＡ、ＡＢ、ＡＣ、ＡＤ、またはＡＧと指定される、第１の位置特定デバイスの特徴を含む、ＡＨと指定される、第１の位置特定デバイス。
【０１０７】
ファームウェアは、第２の位置特定デバイスが位置特定デバイスのローカルデジタル無線ネットワークから喪失されたときを決定するように構成され、ファームウェアは、第２の位置特定デバイスが位置特定デバイスのローカルデジタル無線ネットワークから喪失されると、メッセージをサーバに伝送するように構成される、ＡＨと指定される、第１の位置特定デバイスの特徴を含む、ＡＪと指定される、第１の位置特定デバイス。
【０１０８】
ファームウェアは、ステータスの特定の変化の決定に応じて、事前に構成されたコマンドをモノのインターネット（ＩＯＴ）デバイスに送信するように構成される、Ａ、ＡＡ、ＡＢ、ＡＣ、ＡＤ、ＡＧ、ＡＨ、またはＡＪと指定される、第１の位置特定デバイスの特徴を含む、ＡＫと指定される、第１の位置特定デバイス。
【０１０９】
位置特定デバイスに給電するために結合される、エネルギー回収デバイスを有する、Ａ、ＡＡ、ＡＢ、ＡＣ、ＡＤ、ＡＧ、ＡＨ、またはＡＪと指定される、第１の位置特定デバイスの特徴を含む、ＡＫと指定される、第１の位置特定デバイス。
【０１１０】
少なくとも１つのセンサは、歪みセンサを含む、Ａ、ＡＡ、ＡＢ、ＡＣ、ＡＤ、ＡＧ、ＡＨ、ＡＪ、またはＡＬと指定される、第１の位置特定デバイスの特徴を含む、ＡＬと指定される、第１の位置特定デバイス。
【０１１１】
通信機は、プロセッサによって実行されると、第１の位置特定デバイスを第２の位置特定デバイスとサーバとの間で通信を中継するためのハブとして動作させることが可能である、メモリ内に記憶される、機械可読命令を含む、ＡＣ、ＡＤ、ＡＧ、ＡＨ、ＡＪ、ＡＬ、またはＡＬと指定される、第１の位置特定デバイスの特徴を含む、ＡＭと指定される、第１の位置特定デバイス。
【０１１２】
アセットとともに構成される第１のステッカ位置特定デバイスを使用して、アセットの環境を感知するステップと、ステッカ位置特定デバイス内において、感知された環境と以前に感知された環境を比較することによって、環境の変化を検出するステップと、変化が構成可能閾値を超えると、場所情報および環境の変化をステッカ位置特定デバイスからサーバに通信するステップとを含む、Ｂと指定される、アセットの場所を追跡するための方法。
【０１１３】
環境を感知するステップは、マイクロホンを用いてオーディオを感知するステップを含み、環境の変化を検出するステップはさらに、オーディオを分類するステップを含む、Ｂと指定される、方法を含む、ＢＡと指定される、アセットの場所を追跡するための方法。
【０１１４】
環境の変化が構成可能閾値を超えると、第２のステッカ位置特定デバイスによって感知された環境の変化をサーバに通信するステップをさらに含む、ＢまたはＢＡと指定される、方法を含む、ＢＢと指定される、アセットの場所を追跡するための方法。
【０１１５】
環境を感知するステップは、ソフトウェア構成可能無線を使用して、デジタル無線ネットワークと関連付けられた識別子を探知するステップを含む、Ｂ、ＢＡ、またはＢＢと指定される、方法を含む、ＢＣと指定される、アセットの場所を追跡するための方法。
【０１１６】
筐体と、筐体内に、プロセッサと結合される、メモリと、ネットワークを通してサーバに通信し、少なくとも第２のステッカ位置特定デバイスと直接通信するように構成される、通信機と、ソフトウェア構成可能無線を使用して、ソフトウェア構成可能無線によって受信されたデジタル無線ネットワークのネットワーク識別子を記録するように構成される、ファームウェアと、第１のステッカデバイスの環境を観察するように構成される、センサと、観察される環境の変化を決定し、ステータスの変化の検出に応じて、メッセージをサーバに伝送するように構成され、メッセージは、記録されるネットワーク識別子を含む、ファームウェアを伴う、回路基板とを有する、Ｃと指定される、ステッカ位置特定デバイス。
【０１１７】
筐体と、筐体内に、プロセッサと結合される、メモリと、プロセッサによって制御され、ネットワークを通してサーバに通信するように構成される、通信機と、ステッカデバイスの移動を感知するように構成される、少なくとも１つのセンサと、少なくとも１つの歪みセンサと、移動を感知するように構成される少なくとも１つのセンサおよび少なくとも１つの歪みセンサからの読取値を処理し、振動および歪みを決定し、感知された振動または歪みのいずれかが限界を超えるかどうかを決定し、振動または歪みのいずれかが限界を超えると、メッセージをサーバに送信するように構成される、ファームウェアとを伴う、回路基板とを有する、Ｄと指定される、ステッカ位置特定デバイス。
【０１１８】
変更が、本明細書の範囲から逸脱することなく、上記の方法およびシステムに行われてもよい。したがって、上記の説明内に含有される、または付随の図面に示される、事柄は、限定的意味ではなく、例証的意味として解釈されるべきであることに留意されたい。以下の請求項は、本明細書に説明される全ての汎用および具体的特徴だけではなく、文言上、本明細書内にあると言え得る、本方法およびシステムの範囲の全ての記述を網羅するように意図される。
【図１】
2020520581.tif 000003
【図２】
2020520581.tif 000004
【図３】
2020520581.tif 000005
【図４】
2020520581.tif 000006
【図５】
2020520581.tif 000007
【図６】
2020520581.tif 000008
【図７】
2020520581.tif 000009
【図８】
2020520581.tif 000010
【図９】
2020520581.tif 000011
【国際調査報告】
2020520581.tif 000012
2020520581.tif 000013